(57)【要約】  移動体ハンドオーバを決定するためのチャネル依存性のクレジット累積がここに提供される。いくつかの態様では、移動体デバイスにサービス提供している（１つまたは複数の）ソースチャネルの（１つまたは複数の）特性および１つまたは複数のターゲットチャネルの（１つまたは複数の）特性が評価され得る。（例えば、マグニチュードの差のいくつかの関数に基づいて）（１つまたは複数の）ターゲットチャネルに関連するハンドオーバクレジットを生成するために、評価された特性のマグニチュードが利用され得る。ターゲットチャネルに関連する、同時発生するクレジットの数が、１つまたは複数のしきい値レベル以上である場合は、移動体デバイスはハンドオーバを開始することが可能である。説明されるように、１つまたは複数の時間間隔にわたるチャネル劣化に基づいて、ハンドオーバの確率を高めるために、ソースチャネルおよびターゲットチャネルの品質、信号強度などの格差が決定され得る。
2010522507.tif 000002
【特許請求の範囲】
【請求項１】
無線通信環境において移動体デバイスハンドオーバを実施する方法であって、
無線チャネルの特性に関係する第１の決定を取得することと、なお、前記無線チャネルは移動体デバイスに接続性を提供する；
１つまたは複数の追加の無線チャネルの前記特性に関係する第２の決定を取得することと；
前記第１の決定と前記第２の決定とのマグニチュードの差に少なくとも一部基づいて、前記移動体デバイスについて、チャネルレポートをトリガすることと、あるいは前記移動体デバイスに関するハンドオーバを実施することと；
を備える方法。
【請求項２】
マグニチュードの前記差の関数に基づいて、前記１つまたは複数の追加の無線チャネルのうちの少なくとも１つのハンドオーバクレジットの数を更新すること、をさらに備える請求項１に記載の方法。
【請求項３】
前記第２の決定の前記マグニチュードが前記第１の決定の前記マグニチュードにオフセットを加えたものよりも大きい場合はハンドオーバクレジットの前記数を増やすこと、をさらに備え、前記オフセットはゼロ以上である、請求項２に記載の方法。
【請求項４】
前記第１の決定の前記マグニチュードが前記第２の決定の前記マグニチュードにオフセットを加えたものよりも大きい場合はハンドオーバクレジットの前記数を減らすこと、をさらに備え、前記オフセットはゼロ以上である、請求項２に記載の方法。
【請求項５】
マグニチュードの前記差の前記関数として、次の形式の関数：
Δ＜２ｄＢ          の場合は、  ｎ＝０      
２ｄＢ≦Δ≦４ｄＢ  の場合は、  ｎ＝１      
４ｄＢ≦Δ≦６ｄＢ  の場合は、  ｎ＝２      
６ｄＢ≦Δ＜８ｄＢ  の場合は、  ｎ＝３      
８ｄＢ≦Δ          の場合は、  ｎ＝４      
但し、ｎはハンドオーバクレジットの数であり、Δはマグニチュードの前記差である、
を使用することを備えている、請求項２に記載の方法。
【請求項６】
ハンドオーバクレジットの前記更新された数が一次クレジットしきい値を超える場合は前記チャネルレポートをトリガすること、をさらに備える請求項２に記載の方法。
【請求項７】
ハンドオーバクレジットの前記更新された数が二次クレジットしきい値を超える場合は転送ハンドオーバを実施すること、をさらに備える請求項２に記載の方法。
【請求項８】
ハンドオーバが実施される場合はハンドオーバクレジットの前記数をゼロにリセットすること、をさらに備える請求項２に記載の方法。
【請求項９】
チャネルフィルタリング関数を用いることによって、前記第１の決定または前記第２の決定をフィルタリングすること、をさらに備える請求項１に記載の方法。
【請求項１０】
マグニチュードの前記差を評価することに先立って、前記第１の決定または前記第２の決定を前記フィルタリングすることを適用すること、をさらに備える請求項９に記載の方法。
【請求項１１】
前記チャネルフィルタリング関数として、１タップの無限インパルス応答（ＩＩＲ）フィルタまたは有限インパルス応答（ＦＩＲ）フィルタを用いることをさらに備える、請求項９に記載の方法。
【請求項１２】
無線環境において移動体デバイスに関するハンドオーバを実施する装置であって、 
無線チャネルを経由して、前記移動体デバイスを少なくとも１つの無線送信機に通信可能に結合させるトランシーバと、
前記移動体デバイスに関するハンドオーバを容易にすることに関係する、少なくとも１つのプログラムモジュールを記憶するメモリと、
メモリ内に記憶された１つまたは複数のプログラムモジュールを実行するプロセッサと、
前記無線チャネルの特性に関係する第１の決定および１つまたは複数の追加の無線チャネルの前記特性に関係する第２の決定を取得するチャネル評価モジュールと、
前記第１の決定と前記第２の決定とのマグニチュードの差に少なくとも一部基づいて、前記移動体デバイスに関するチャネルレポートをトリガするか、または前記移動体デバイスに関係するハンドオーバを実施するハンドオーバ評価モジュールと、
を備える装置。
【請求項１３】
ハンドオーバ管理モジュールが、マグニチュードの前記差の関数に基づいて、前記１つまたは複数の追加の無線チャネルのうちの少なくとも１つのハンドオーバクレジットの数を更新する、請求項１２に記載の装置。
【請求項１４】
前記第２の決定の前記マグニチュードが前記第１の決定の前記マグニチュードにオフセットを加えたものより大きい場合、前記ハンドオーバ管理モジュールはハンドオーバクレジットの前記数を増やし、前記オフセットはゼロ以上である、請求項１３に記載の装置。
【請求項１５】
前記第１の決定の前記マグニチュードが前記第２の決定の前記マグニチュードにオフセットを加えたものより大きい場合、前記ハンドオーバ管理モジュールはハンドオーバクレジットの前記数を減らし、前記オフセットはゼロ以上である、請求項１３に記載の装置。
【請求項１６】
マグニチュードの前記差の前記関数として、次の形式の関数：
Δ＜２ｄＢ          の場合は、  ｎ＝０      
２ｄＢ≦Δ≦４ｄＢ  の場合は、  ｎ＝１      
４ｄＢ≦Δ≦６ｄＢ  の場合は、  ｎ＝２      
６ｄＢ≦Δ＜８ｄＢ  の場合は、  ｎ＝３      
８ｄＢ≦Δ          の場合は、  ｎ＝４      
但し、ｎはハンドオーバクレジットの数であり、Δはマグニチュードの前記差である、
を使用する計算モジュール、
をさらに備えている請求項１３に記載の装置。
【請求項１７】
ハンドオーバクレジットの前記更新された数が一次クレジットしきい値を超える場合は測定レポートをトリガするアウトプットモジュール、をさらに備える請求項１３に記載の装置。
【請求項１８】
ハンドオーバクレジットの前記更新された数が二次クレジットしきい値を超える場合は転送ハンドオーバを実施する実行モジュール、をさらに備える請求項１３に記載の装置。
【請求項１９】
ハンドオーバが実施される場合は、前記ハンドオーバ管理モジュールはハンドオーバクレジットの前記数をゼロに更新する、請求項１３に記載の装置。
【請求項２０】
チャネルフィルタリング関数を用いることによって、前記第１の決定または前記第２の決定をフィルタリングする正規化モジュール、をさらに備える請求項１に記載の装置。
【請求項２１】
前記正規化モジュールは、マグニチュードの前記差が評価されることに先立って、前記第１の決定または前記第２の決定をフィルタリングする、請求項２０に記載の装置。
【請求項２２】
前記正規化モジュールは、前記チャネルフィルタリング関数として、１タップのＩＩＲフィルタまたはＦＩＲフィルタを用いる、請求項２０に記載の装置。
【請求項２３】
無線環境において移動体デバイスに関するハンドオーバを実施する装置であって、
無線チャネルの特性に関係する第１の決定および１つまたは複数の追加の無線チャネルの前記特性に関係する第２の決定を取得するための手段と、なお、前記無線チャネルは、前記移動体デバイスと少なくとも１つの送信機の間のデータ交換を容易にする；
前記第１の決定と前記第２の決定とのマグニチュードの差に少なくとも一部基づいて、前記移動体デバイスに関するチャネルレポートをトリガするため、または前記移動体デバイスに関するハンドオーバを実施するための手段と；
を備える装置。
【請求項２４】
無線環境において移動体デバイスに関するハンドオーバを実施するプロセッサであって、
無線チャネルの特性に関係する第１の決定および１つまたは複数の追加の無線チャネルの前記特性に関係する第２の決定を取得するように構成された第１のモジュールと、なお、前記無線チャネルは、前記移動体デバイスと少なくとも１つの送信機の間のデータ交換を容易にする；
前記第１の決定と前記第２の決定とのマグニチュードの差に少なくとも一部基づいて、前記移動体デバイスに関するチャネルレポートをトリガするように、または前記移動体デバイスに関するハンドオーバを実施するように構成された第２のモジュールと；
を備えるプロセッサ。
【請求項２５】
コンピュータ可読媒体であって、
無線環境において移動体デバイスに関するハンドオーバを実施するように構成されたコンピュータ可読命令を備え、前記命令は、
前記移動体デバイスと少なくとも１つの送信機の間のデータ交換を容易にする無線チャネルの特性に関係する第１の決定を取得し、
１つまたは複数の追加の無線チャネルの前記特性に関係する第２の決定を取得し、
前記第１の決定と前記第２の決定とのマグニチュードの差に少なくとも一部基づいて、前記移動体デバイスに関するチャネルレポートをトリガするため、または前記移動体デバイスに関するハンドオーバを実施する、
ために、少なくとも１つのコンピュータによって実行可能である、
コンピュータ可読媒体。
【請求項２６】
無線環境において移動体デバイスに関するハンドオーバを容易にする方法であって、
無線チャネルの特性に関係する第１の評価を実施することと、なお、前記無線チャネルは、移動体デバイスと無線送信機の間のデータ交換を提供する；
前記移動体デバイスに通信可能に結合された少なくとも１つの追加の無線チャネルを識別する情報を受信することと；
前記少なくとも１つの追加の無線チャネルの前記特性に関係する第２の評価を実施または受信することと；
前記第１の評価および前記第２の評価のマグニチュードの差に少なくとも一部基づいてハンドオーバを実施することを容易にするために、少なくとも前記第１の評価および前記第２の評価を前記移動体デバイスに転送することと；
を備える方法。
【請求項２７】
前記無線チャネルの前記特性として、前記無線チャネルのダウンリンク信号品質を用いること、をさらに備える請求項２６に記載の方法。 
【請求項２８】
前記少なくとも１つの追加の無線チャネルの前記特性として、前記少なくとも１つの追加の無線チャネルのダウンリンク信号品質を用いること、をさらに備える請求項２６に記載の方法。
【請求項２９】
前記第１の決定および前記第２の決定に関する共通の時間長を有する観察間隔を用いること、をさらに備える請求項２６に記載の方法。
【請求項３０】
前記共通の時間長として、実質上０．５ミリ秒を用いること、をさらに備える請求項２９に記載の方法。
【請求項３１】
前記第１の評価および前記第２の評価を実施するために、共通の期間を用いること、をさらに備える請求項２６に記載の方法。
【請求項３２】
前記共通の期間に関する存続期間として、０．５ミリ秒を用いること、をさらに備える請求項３１に記載の方法。
【請求項３３】
前記移動体デバイスから前記無線チャネルまたは前記少なくとも１つの追加の無線チャネルに関連する接続性レポートを受信すること、をさらに備える請求項２６に記載の方法。
【請求項３４】
前記少なくとも１つの追加の無線チャネルの容量および前記無線チャネルの容量を決定すること、をさらに備える請求項３３に記載の方法。
【請求項３５】
前記決定された容量またはマグニチュードの前記差に少なくとも一部基づいて、前記無線チャネルから前記少なくとも１つの追加の無線チャネルに対して前記移動体デバイスに関するハンドオーバを実施すること、をさらに備える請求項３４に記載の方法。
【請求項３６】
前記少なくとも１つの追加の無線チャネルに関連するハンドオーバクレジットの数を抽出することと、ハンドオーバクレジットの前記数がハンドオーバしき値を超える場合は、前記移動体デバイスに関するハンドオーバを実施することと、をさらに備える請求項３３に記載の方法。
【請求項３７】
無線環境において移動体デバイスに関するハンドオーバを容易にする装置であって、
無線チャネルによって前記移動体デバイスに通信可能に結合する無線トランシーバと、
前記ハンドオーバを実施することに関係する１つまたは複数のモジュールを記憶するメモリと、
前記ハンドオーバを実施することに関して、前記１つまたは複数のモジュールを実行するプロセッサと、
前記無線チャネルの特性に関係する第１の決定を実施し、少なくとも１つの追加の無線チャネルの前記特性に関係する第２の決定を実施しまたは受信し、前記第１の決定および第２の決定のマグニチュードの差に少なくとも一部基づいてハンドオーバを実施することを容易にする評価モジュールと、
を備える装置。 
【請求項３８】
前記評価モジュールは、前記無線チャネルの前記特性として、前記無線チャネルのダウンリンク信号品質を用いる、請求項３７に記載の装置。
【請求項３９】
評価モジュールは、前記少なくとも１つの追加の無線チャネルの前記特性として、前記少なくとも１つの追加の無線チャネルのダウンリンク信号品質を用いる、請求項３７に記載の装置。
【請求項４０】
前記第１の決定および前記第２の決定に関する共通の時間長を有する観察間隔を用いるタイミングモジュール、をさらに備える請求項３７に記載の装置。
【請求項４１】
前記タイミングモジュールは、前記共通の時間長として、実質上０．５ミリ秒を用いる、請求項４０に記載の装置。
【請求項４２】
前記タイミングモジュールは、前記第１の評価および前記第２の評価を実施するために、共通の期間を用いる、請求項３７に記載の装置。
【請求項４３】
前記タイミングモジュールは、前記共通の期間に関する存続期間として、０．５ミリ秒を用いる、請求項４２に記載の装置。
【請求項４４】
前記無線チャネルまたは前記少なくとも１つの追加の無線チャネルに関連する接続性レポートを前記移動体デバイスから受信するチャネル接続性モジュール、をさらに備える請求項３７に記載の装置。
【請求項４５】
前記少なくとも１つの追加の無線チャネルの容量および前記無線チャネルの容量を決定するローディングモジュール、をさらに備える請求項４４に記載の装置。
【請求項４６】
前記決定された容量またはマグニチュードの前記差に少なくとも一部基づいて、前記無線チャネルから前記少なくとも１つの追加の無線チャネルに対して前記移動体デバイスに関するハンドオーバを実施する基地局転送モジュール、をさらに備える請求項４６に記載の装置。
【請求項４７】
前記チャネル接続性モジュールは、前記少なくとも１つの追加の無線チャネルに関連するハンドオーバクレジットの数を抽出し、ハンドオーバクレジットの前記数がハンドオーバしきい値を超える場合は、基地局転送モジュールは前記移動体デバイスに関するハンドオーバを実施する、請求項４４に記載の装置。
【請求項４８】
無線環境において移動体デバイスに関するハンドオーバを実施する装置であって、
無線チャネルによって移動体デバイスと無線データ交換を実施するための手段と、
前記移動体デバイスに通信可能に結合された少なくとも１つの追加の無線チャネルを識別する情報を受信するための手段と、
前記無線チャネルの特性に関係する第１の評価を実施し、そして、前記少なくとも１つの追加の無線チャネルの前記特性に関係する第２の評価を実施または受信するための、手段と、
前記第１の評価および前記第２の評価のマグニチュードの差に少なくとも一部基づいてハンドオーバを実施することを容易にするために、少なくとも前記第１の評価および前記第２の評価を前記移動体デバイスに転送するための手段と、
を備える装置。
【請求項４９】
無線環境において移動体デバイスに関するハンドオーバを実施するプロセッサであって、
無線チャネルによって移動体デバイスと無線データ交換を実施するように構成された第１のモジュールと、
前記移動体デバイスに通信可能に結合された少なくとも１つの追加の無線チャネルを識別する情報を受信するように構成された第２のモジュールと、
前記無線チャネルの特性に関係する第１の評価を実施し、前記少なくとも１つの追加の無線チャネルの前記特性に関係する第２の評価を実施または受信する、ように構成された第３のモジュールと、
前記第１の評価および前記第２の評価のマグニチュードの差に少なくとも一部基づいてハンドオーバを実施することを容易にするために、少なくとも前記第１の評価および前記第２の評価を前記移動体デバイスに転送するように構成された第４のモジュールと、
を備えるプロセッサ。
【請求項５０】
コンピュータ可読媒体であって、
無線環境において移動体デバイスに関するハンドオーバを容易にするように構成されたコンピュータ可読命令を備え、前記命令は、
移動体デバイスおよび無線送信機の間にデータ交換を提供する無線チャネルの特性に関係する第１の評価を実行し、
前記移動体デバイスと通信可能に結合された少なくとも１つの追加の無線チャネルを識別する情報を受信し、
前記少なくとも１つの追加の無線チャネルの前記特性に関係する第２の評価を実施または受信し、
前記第１の評価および前記第２の評価のマグニチュードの差に少なくとも一部基づいてハンドオーバを実施することを容易にするために、少なくとも前記第１の評価および前記第２の評価を前記移動体デバイスに転送する、
ために、少なくとも１つのコンピュータによって実行可能である、
コンピュータ可読媒体。
【発明の詳細な説明】
【関連出願の相互参照】
【０００１】
非仮出願の本特許出願は、ここでの譲受人に譲渡され、ここでの参照によりここに組み込まれている、２００７年３月１９日に出願され、「ハンドオーバアルゴリズムのためのチャネル依存性のクレジット累積(CHANNEL DEPENDENT CREDIT ACCUMULATION FOR HANDOVER ALGORITHMS)」と題された仮特許出願第６０／８９５，６７８号の優先権を主張する。
【背景】
【０００２】
［Ｉ．分野］
以下は、一般に、無線通信に関し、より具体的には、移動体通信環境においてハンドオーバ(handover)を実施するためのチャネル依存性のクレジット累積(channel dependent credit accumulation)を提供することに関する。
【０００３】
［ＩＩ．背景］
無線通信システムは、例えば、音声コンテンツ、データコンテンツなど、様々なタイプの通信コンテンツを提供するために広く展開されている。典型的な無線通信システムは、利用可能なシステムリソース（例えば、帯域幅、送信電力）を共有することによって、複数のユーザとの通信をサポートすることが可能な多元接続システムであり得る。かかる多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどを含み得る。
【０００４】
一般に、無線多元接続通信システムは、複数の移動体デバイスに関する通信を同時にサポートすることが可能である。それぞれの移動体デバイスは、順方向リンクおよび逆方向リンク上での伝送を介して１つまたは複数の基地局と通信することが可能である。順方向リンク（すなわち、ダウンリンク）は、基地局から移動体デバイスへの通信リンクを指し、逆方向リンク（すなわち、アップリンク）は、移動体デバイスから基地局への通信リンクを指す。さらに、移動体デバイスと基地局の間の通信は、単一入力単一出力（ＳＩＳＯ）システム、多入力単一出力（ＭＩＳＯ）システム、多入出力（ＭＩＭＯ）システムなどによって確立され得る。
【０００５】
ＭＩＭＯシステムは、通常、データ伝送のために複数（ＮＴ本）の送信アンテナおよび複数（ＮＲ本）の受信アンテナを用いる。ＮＴ本の送信アンテナおよびＮＲ本の受信アンテナによって形成されるＭＩＭＯチャネルは、空間チャネルと呼ばれる場合がある、ＮＳ個の独立チャネルに分解されることが可能であり、この場合、ＮＳ≦｛ＮＴ，ＮＲ｝である。ＮＳ個の独立チャネルのそれぞれは、次元に対応する。さらに、複数の送信アンテナおよび複数の受信アンテナによって生み出された追加の次元が利用される場合、ＭＩＭＯシステムは、改善されたパフォーマンス（例えば、増大されたスペクトル効率、より高いスループットおよび／またはより高い信頼性）を提供することが可能である。
【０００６】
前述の説明に加えて、マルチチャネル通信能力は、有利なセル間移動体ハンドオーバまたはセル内移動体ハンドオーバの利用可能性を高めることができる。通常、利用可能な送信アンテナおよび／または受信アンテナの数が増えるにつれて、ハンドオーバを介してより高い品質の無線チャネルを取得する機会も増大し得る。例えば、移動体デバイスがいくつかのかかるチャネル範囲内にある場合、アクティブコンテンツは第１のチャネルから第２のチャネルに転送され得る。アクティブコンテンツの転送、すなわち、ハンドオーバは、通常、１つの利用可能なチャネルが現在のチャネルより優れていると決定された場合に発生し得る。
【発明の概要】
【０００７】
以下は、かかる態様の基本的な理解をもたらす目的で、１つまたは複数の態様の簡素化された概要を提示する。この概要は、すべての企図される態様の広範な概要ではなく、すべての態様の重要なまたは重大な要素を識別することも、任意のまたはすべての態様の範囲の境界を画することも意図されていない。その唯一の目的は、後に提示されるより詳細な説明の前置きとして、１つまたは複数の態様のいくつかの概念を簡素化された形で提示することである。
【０００８】
特許請求される主題の１つまたは複数の態様およびその対応する開示によれば、本主題の開示は、移動体ハンドオーバを決定するためのチャネル依存性のクレジット累積を実現する。（１つまたは複数の）ソース無線チャネルおよび１つまたは複数のターゲット無線チャネルの特性が評価され得る。評価された特性のマグニチュード(magnitude)は、（１つまたは複数の）ターゲットチャネルに関連するハンドオーバクレジット(handover credits)を増やすためまたは減らすために利用され得る。いくつかの態様では、チャネルのマグニチュードを決定する際の格差(disparity)に基づいて加算または減算されるハンドオーバクレジットの数を決定するために関数（例えば、一次関数(linear function)、二次関数(quadratic function)、階段関数(step function)）が用いられ得る。ターゲットチャネルに関連する、同時発生するハンドオーバクレジットの数が１つまたは複数のしきい値レベル以上である場合、移動体デバイスは（１つまたは複数の）ソースチャネルから（１つまたは複数の）ターゲットチャネルに対してハンドオーバを開始することが可能である。ハンドオーバが実施されると、ハンドオーバクレジットは消去されることが可能であり、ソースチャネル／ターゲットチャネルの解析およびハンドオーバクレジットの累積が再開され得る。
【０００９】
少なくとも一態様によれば、開示されるのは、無線通信環境(wireless environment)において移動体デバイスのハンドオーバを実施する方法である。この方法は、移動体デバイスに対する接続性(connectivity)を提供する無線チャネル、の特性に関係する第１の決定(first determination)を取得することと、１つまたは複数の追加の無線チャネルの特性に関係する第２の決定を取得することとを備え得る。さらに、この方法は、第１の決定と第２の決定とのマグニチュードの差に少なくとも一部基づいて、移動体デバイスに関するハンドオーバを実施することを備え得る。
【００１０】
いくつかの態様では、提供されるのは、無線環境において移動体デバイスに関するハンドオーバを実施する装置である。この装置は、無線チャネルを経由して移動体デバイスを少なくとも１つの無線送信機に通信可能に結合するトランシーバを備え得る。さらに、この装置は、移動体デバイスに関するハンドオーバを容易にすることに関係する少なくとも１つのプログラムモジュールを記憶するメモリと、メモリ内に記憶された１つまたは複数のプログラムモジュールを実行するプロセッサとを備え得る。加えて、この装置は、無線チャネルの特性に関係する第１の決定および１つまたは複数の追加の無線チャネルの特性に関係する第２の決定を取得するチャネル評価モジュールを備え得る。さらに、この装置は、第１の決定と第２の決定とのマグニチュードの差に少なくとも一部基づいて、移動体デバイスに関するハンドオーバを実施するハンドオーバ評価モジュールを備え得る。
【００１１】
さらにその他の態様によれば、提供されるのは、無線環境において移動体デバイスに関するハンドオーバを実施する装置である。この装置は、無線チャネルの特性に関係する第１の決定および１つまたは複数の追加の無線チャネルの特性に関係する第２の決定を取得するための手段を備えることが可能であり、無線チャネルは、移動体デバイスと少なくとも１つの送信機の間のデータ交換を容易にする。さらに、この装置は、第１の決定と第２の決定とのマグニチュードの差に少なくとも一部基づいて、移動体デバイスに関するハンドオーバを実施するための手段を備え得る。
【００１２】
少なくとも１つの態様によれば、開示されるのは、無線環境において移動体デバイスに関するハンドオーバを実施するプロセッサである。このプロセッサは、無線チャネルの特性に関係する第１の決定および１つまたは複数の追加の無線チャネルの特性に関係する第２の決定を取得するように構成された第１のモジュールを備えることが可能であり、無線チャネルは、移動体デバイスと少なくとも１つの送信機の間のデータ交換を容易にする。さらに、このプロセッサは、第１の決定と第２の決定とのマグニチュードの差に少なくとも一部基づいて、移動体デバイスに関するハンドオーバを実施するように構成された第２のモジュールを備え得る。
【００１３】
さらにその他の態様では、提供されるのは、無線環境において移動体デバイスに関するハンドオーバを実施するように構成されたコンピュータ可読命令を備えたコンピュータ可読媒体である。これらの命令は、無線チャネルの特性に関係する第１の決定を取得するために、少なくとも１つのコンピュータによって実行可能であり得、無線チャネルは、移動体デバイスと少なくとも１つの送信機の間のデータ交換を容易にする。これらの命令は、１つまたは複数の追加の無線チャネルの特性に関係する第２の決定を取得して、第１の決定と第２の決定とのマグニチュードの差に少なくとも一部基づいて移動体デバイスに関するハンドオーバを実施するために、少なくとも１つのコンピュータによってさらに実行可能であり得る。
【００１４】
１つまたは複数のその他の態様によれば、開示されるのは、無線環境において移動体デバイスに関するハンドオーバを容易にする方法である。この方法は、無線チャネルの特性に関係する第１の評価を実施することを備えることが可能であり、無線チャネルは、移動体デバイスと無線送信機の間のデータ交換を提供する。さらに、この方法は、無線デバイスに通信可能に結合された少なくとも１つの追加の無線チャネルを識別する情報を受信することと、少なくとも１つの追加の無線チャネルの特性に関係する第２の評価を実施または受信することとを備え得る。さらにその他の態様によれば、この方法は、第１および第２の評価のマグニチュードの差に少なくとも一部基づいてハンドオーバを実施することを容易にするために、少なくとも第１および第２の評価を移動体デバイスに転送することを備え得る。
【００１５】
さらにその他の態様によれば、提供されるのは、無線環境において移動体デバイスに関するハンドオーバを容易にする装置である。この装置は、無線チャネルによって移動体デバイスに通信可能に結合する無線トランシーバを備え得る。この装置は、ハンドオーバを実施することに関係する１つまたは複数のモジュールを記憶するメモリと、ハンドオーバを実施することに関して１つまたは複数のモジュールを実行するプロセッサとを備え得る。さらに、この装置は、無線チャネルの特性に関係する第１の決定を実施して、第１および第２の決定のマグニチュードの差に少なくとも一部基づいてハンドオーバを実施することを容易にするために、少なくとも１つの追加の無線チャネルの特性に関係する第２の決定を実施または受信する評価モジュールを備え得る。
【００１６】
少なくとも一態様では、開示されるのは、無線環境において移動体デバイスに関するハンドオーバを実施する装置である。この装置は、無線チャネルによって移動体デバイスと無線データ交換を実施するための手段と、移動体デバイスに通信可能に結合された少なくとも１つの追加の無線チャネルを識別する情報を受信するための手段とを備え得る。この装置は、無線チャネルの特性に関係する第１の評価を実施して、少なくとも１つの追加の無線チャネルの特性に関係する第２の評価を実施または受信するための手段をさらに備え得る。さらに、この装置は、第１および第２の評価のマグニチュードの差に少なくとも一部基づいてハンドオーバを実施することを容易にするために、少なくとも第１および第２の評価を移動体デバイスに転送するための手段を備え得る。
【００１７】
１つまたは複数の追加の態様によれば、開示されるのは、無線環境において移動体デバイスに関するハンドオーバを実施するプロセッサである。このプロセッサは、無線チャネルによって移動体デバイスと無線データ交換を実施するように構成された第１のモジュールと、移動体デバイスと通信可能に結合された少なくとも１つの追加の無線チャネルを識別する情報を受信するように構成された第２のモジュールとを備え得る。このプロセッサは、無線チャネルの特性に関係する第１の評価を実行して、少なくとも１つの追加の無線チャネルの特性に関係する第２の評価を実施または受信するように構成された第３のモジュールをさらに備え得る。加えて、このプロセッサは、第１および第２の評価のマグニチュードの差に少なくとも一部基づいてハンドオーバを実施することを容易にするために、少なくとも第１および第２の評価を移動体デバイスに転送するように構成された第４のモジュールを備え得る。
【００１８】
少なくとも１つの追加の態様によれば、提供されるのは、無線環境において移動体デバイスに関するハンドオーバを容易にするように構成されたコンピュータ可読命令を備えるコンピュータ可読媒体である。これらの命令は、少なくとも１つのコンピュータに無線チャネルの特性に関係する第１の評価を実施させるために実行可能であり得、無線チャネルは、移動体デバイスと無線送信機の間のデータ交換を提供する。これらの命令は、少なくとも１つのコンピュータに移動体デバイスと通信可能に結合された少なくとも１つの追加の無線チャネルを識別する情報を受信させて、少なくとも１つの追加の無線チャネルの特性に関係する第２の評価を実施または受信させるためにさらに実行可能であり得る。加えて、これらの命令は、第１および第２の評価のマグニチュードの差に少なくとも一部基づいてハンドオーバを実施することを容易にするために、少なくとも１つのコンピュータに少なくとも第１および第２の評価を移動体デバイスに転送させるために実行可能であり得る。
【００１９】
前述の目的および関連する目的を達成するために、１つまたは複数の態様は、下記で十分に説明され、特に、特許請求の範囲において指示される特徴を備える。以下の説明および添付の図面は、１つまたは複数の態様のいくつかの例示的な態様において詳細に記載される。しかし、これらの態様は、様々な態様の原理が用いられ得る様々な方法のほんのいくつかの様式を示し、説明される態様は、かかる態様およびそれらの均等物を包括することが意図される。
【図面の簡単な説明】
【００２０】
【図１】本明細書に記載される態様に従って、無線通信を提供する例示的なシステムを示すブロック図。
【図２】無線通信環境で用いるための例示的な通信装置を示すブロック図。
【図３】本明細書に記載される少なくとも１つの態様に従って、チャネル依存性のハンドオーバ決定を実現する例示的なシステムを示すブロック図。
【図４】少なくとも１つの態様に従って、チャネル依存性のハンドオーバ決定を実現するサンプルシステムを示すブロック図。
【図５】移動体ハンドオーバを実施することに関して、１つまたは複数の無線チャネルを評価する例示的なシステムを示すブロック図。
【図６】ソース無線チャネルおよびターゲット無線チャネルの特性に基づいてハンドオーバを実施することが可能な例示的な移動体デバイスを示すブロック図。
【図７】本明細書で開示される少なくとも１つの態様に従って、チャネル依存性のハンドオーバを容易にすることが可能な例示的なシステムを示すブロック図。
【図８】チャネル依存性のハンドオーバを容易にすることが可能な例示的な基地局を示すブロック図。
【図９】少なくとも１つの態様に従って、チャネル依存性のハンドオーバを実現するための例示的な方法論を示す図。
【図１０】１つまたは複数のその他の態様に従って、チャネル依存性のハンドオーバを実現するための例示的な方法論を示す図。
【図１１】１つまたは複数の態様に従って、チャネル依存性のハンドオーバを容易にするための例示的な方法論を示す図。
【図１２】少なくとも１つの追加の態様に従って、チャネル依存性のハンドオーバを容易にするためのサンプル方法論を示す図。
【図１３】本明細書で開示されるいくつかの態様に従って、遠隔通信を容易にすることが可能な例示的なシステムを示すブロック図。
【図１４】無線環境においてチャネル依存性のハンドオーバを実施することが可能なシステムを示すブロック図。
【図１５】無線環境においてチャネル依存性のハンドオーバを容易にすることが可能なシステムを示すブロック図。
【詳細な説明】
【００２１】
図面を参照して様々な態様が次に説明され、全体にわたって類似の要素を示すために類似の参照番号が使用される。以下の説明において、説明の目的で、１つまたは複数の態様の十分な理解をもたらすために多数の特定の詳細が記載される。しかし、かかる（１つまたは複数の）態様は、これらの特定の詳細なしで実施され得る点は明らかであり得る。その他の場合、１つまたは複数の態様の説明を容易にする目的で、よく知られている構造およびデバイスがブロック図の形で示される。
【００２２】
加えて、本開示の様々な態様が下記で説明される。本明細書の教示は、様々な形態で実施されることが可能であり、本明細書で開示される任意の特定の構造および／または機能は代表に過ぎない点は明らかであろう。本明細書の教示に基づいて、当業者は、本明細書で開示される態様は、任意その他の態様から独立して実施されることが可能であり、これらの態様の２つ以上が様々な形で組み合わされてよい点を理解されたい。例えば、本明細書に記載された任意の数の態様を用いて、装置が実施され得、かつ／または方法が実施され得る。加えて、本明細書に記載された１つまたは複数の態様に加えて、またはこれらの態様以外の、その他の構造および／もしくは機能性を使用して、装置が実施され得、かつ／または方法が実施され得る。例として、本明細書で説明される方法、デバイス、システム、および装置の多くは、１つまたは複数の無線チャネルの特性を決定して、決定された特性のマグニチュードに一部基づいてハンドオーバ決定を実現するという状況に関して説明される。当業者は、類似の技法をその他の通信環境に適用することが可能である点を理解されたい。
【００２３】
本主題の開示は、ソース無線チャネルおよびターゲット無線チャネルに関連する特性の相対値に少なくとも一部基づいて、ソース無線チャネルからターゲット無線チャネルに対して移動体デバイスハンドオーバを実施するかどうかを決定することを実現する。ターゲット無線チャネルは、１つまたは複数のハンドオーバクレジットと関連づけられることが可能である。ハンドオーバクレジットは、ターゲットチャネルの無線特性をソースチャネルの類似の無線特性と比較することができる測定単位である。例えば、ソースチャネルの（１つまたは複数の）特性が測定され得る。この特性は、信号強度、信号品質、ＳＮ比（ＳＮＲ）、信号対雑音干渉比（ＳＮＩＲ）、リソース要素当たりの受信電力(received power per resource element)（ＲＰＲＥ）、マルチパス干渉、もしくは無線チャネルの類似のチャネル特性、またはそれらの組合せであり得る。測定された特性の値は、１つまたは複数のターゲットチャネルの対応する特性の測定と比較され得る。ソース測定とターゲット測定との値の差は、ハンドオーバクレジットが（１つまたは複数の）ターゲットチャネルに関連するハンドオーバのプールに加算されるか、それとも当該ハンドオーバのプールから減算されるかを決定することが可能である。
【００２４】
いくつかの態様によれば、ソースチャネルおよびターゲットチャネルの評価に基づいて、クレジットの数がチャネルに関連するクレジットプールに加算されることが可能であり、または当該クレジットプールから減算されることが可能である。さらに、クレジットの数は、ターゲットチャネル評価およびソースチャネル評価のマグニチュードの差の関数として決定され得る。この関数は、クレジットの数とマグニチュードの差との任意の適切な関係であり得る。例として、クレジットの数は、マグニチュードの変化する差で一次的に(linearly)変化し得る。別の例として、クレジットの数は、マグニチュードの変化する差で二次的に(quadratically)変化し得る。さらに別の例として、クレジットの数は、マグニチュードの変化する差に関して、量子的な形（例えば、階段関数）で変化し得る。
【００２５】
決定されたチャネル特性のマグニチュードの差に関連するクレジットの数は、（１つまたは複数の）ターゲット無線チャネルに関連するクレジットプールに加算されることが可能であり、または当該クレジットプールから減算されることが可能である。（１つまたは複数の）ターゲットチャネル特性がソースチャネルよりもより良好な伝送を移動体デバイスに提供する場合、クレジットの数はクレジットプールに加算されることが可能である。（１つまたは複数の）ターゲットチャネル特性がソースチャネルよりもより不十分な伝送を移動体デバイスに提供する場合、クレジットの数はクレジットプ−ルから減算されることが可能である。したがって、かかる構成において、より大きな数のクレジットは、ターゲットチャネルとソースチャネルの間の伝送能力の相対表示を提供することができる。
【００２６】
ターゲットチャネルプールに関連するクレジットの数は、ハンドオーバに関係する活動がトリガされ得るかどうか、ハンドオーバが実施され得るかどうか、および／または何のタイプの（例えば、移動体開始された、ネットワーク開始された）ハンドオーバが実施され得るかを決定するために、１つまたは複数のしきい値数と比較され得る。例えば、クレジットの数が一次しきい値(primary threshold)以上である場合、逆方向ハンドオーバに関係する伝送レポート（例えば、チャネル特性のレポートおよび／またはネットワークハンドオーバの要求）がトリガされ得る。クレジットの数が二次しきい値以上(secondary threshold)である場合、順方向ハンドオーバ（例えば、移動体開始されたハンドオーバ）が実施され得る。したがって、チャネル特性のマグニチュードの差を決定することによって、ハンドオーバおよび／またはハンドオーバに関係する活動が実施されるかどうかを決定するために、相対特性の大きな偏差または小さな偏差が利用され得る。したがって、ソースチャネル特性の急速な劣化は、結果として、ハンドオーバを迅速に生じさせる可能性がある。説明されたように、主題の開示は、移動体ハンドオーバを決定するための改善されたアルゴリズムを提供する。
【００２７】
主題の開示において使用される場合、「構成要素」、「システム」などの用語は、コンピュータ関連のエンティティ、すなわち、ハードウェア、ソフトウェア、実行中のソフトウェア、ファームウェア、ミドルウェア、マイクロコード、および／またはそれらの任意の組合せを指すことが意図される。例えば、構成要素は、プロセッサ上で実行しているプロセス、プロセッサ、オブジェクト、実行できるもの(executable)、実行のスレッド、プログラム、および／またはコンピュータであり得るが、これらであると限定されない。１つまたは複数の構成要素は、実行のプロセスおよび／またはスレッドの中に存在することが可能であり、構成要素は、１つのコンピュータ上にローカライズされてよく、かつ／または２つ以上のコンピュータの間で分散されてもよい。また、これらの構成要素は、様々なデータ構造を記憶した様々なコンピュータ可読媒体から実行することが可能である。これらの構成要素は、１つまたは複数のデータパケット（例えば、ローカルシステム内で、分散されたシステム内で別の構成要素と相互作用している、かつ／またはインターネットなどのネットワークの全域で信号によってその他のシステムと相互作用している１つの構成要素からのデータ）を有する信号に従ってなど、局所プロセスおよび／または遠隔プロセスによって通信することが可能である。加えて、本明細書で説明されるシステムの構成要素は、本明細書に関して説明される様々な態様、目標、利点などを実現することを容易にする目的で、追加の構成要素によって再構成および／または補完されることが可能であり、当業者によって理解されるように、所与の図面に記載されたまさにその構成に限定されない。
【００２８】
さらに、加入者局に関して様々な態様が本明細書で説明される。加入者局は、システム、加入者ユニット、移動局、移動体、遠隔局、遠隔端末、アクセス端末、ユーザ端末、ユーザエージェント、ユーザデバイス、またはユーザ装置と呼ばれる場合もある。加入者局は、セルラ電話、コードレス電話、セッション開始プロトコル（ＳＩＰ）電話、無線ローカルループ（ＷＬＬ）局、携帯情報端末（ＰＤＡ）、無線接続能力を有するハンドヘルドデバイス、または無線モデムもしくは処理デバイスとの無線通信を容易にしている類似の機構に接続されたその他の処理デバイスであり得る。
【００２９】
さらに、本明細書で説明される様々な態様もしくは特徴は、標準のプログラミング技術および／または工学技術を使用して、方法、装置、または製品として実施されることが可能である。本明細書で使用される場合、「製品」という用語は、任意のコンピュータ可読デバイス、キャリア、または媒体からアクセス可能なコンピュータプログラムを包括することが意図される。例えば、コンピュータ可読媒体は、磁気記憶デバイス（例えば、ハードディスク、フロッピ（登録商標）ーディスク、磁気ストリップ・・・）、光ディスク（例えば、コンパクトディスク（ＣＤ）、ディジタル多目的ディスク（ＤＶＤ）・・・）、スマートカード、およびフラッシュメモリデバイス（例えば、カード、スティック、キーデバイス・・・）を含み得るが、これらに限定されない。加えて、本明細書で説明される様々な記憶媒体は、１つもしくは複数のデバイスおよび／または情報を記憶するためのその他の機械可読媒体を表し得る。「機械可読媒体」という用語は、無線チャネル、ならびに（１つまたは複数の）命令および／もしくはデータを記憶、包括、ならびに／または運ぶことが可能な様々なその他の媒体を含み得るが、それらに限定されない。
【００３０】
さらに、「例示的」という語は、本明細書において、例、事例、または例示として機能することを意味するために使用される。本明細書で「例示的」として説明される任意の態様または設計は、その他の態様もしくは設計に勝って好ましいまたは有利であると解釈されるとは限らない。むしろ、「例示的」という語の使用は、具体的な形で概念を提示することが意図される。この出願で使用される場合、「または」という用語は、排他的な「または」ではなく包括的な「または」を意味することが意図される。すなわち、その他の特定がない限り、または文脈から明らかでない限り、「ＸはＡまたはＢを用いる」は、当然の包括的な順列のいずれかを意味することが意図される。すなわち、ＸがＡを用いる場合、ＸがＢを用いる場合、またはＸがＡおよびＢの両方を用いる場合、「ＸはＡまたはＢを用いる」は、前述の事例のうちのいずれかの下で満たされる。加えて、この出願および添付の特許請求の範囲において使用される場合、冠詞「ａ」および「ａｎ」は、その他の特定がない限り、または文脈から単数形が対象とされることが明らかでない限り、概して、「１つまたは複数」を意味すると解釈されるべきである。
【００３１】
本明細書で使用される場合、「推論する」または「推論」という用語は、概して、事象および／もしくはデータを介して補足された観察のセットからシステム、環境、ならびに／またはユーザの状態について推理または推論するプロセスを指す。例えば、推論は、特定のコンテンツもしくは活動を識別するために用いられることが可能であり、または、状態に関する確率分布を作成することが可能である。推論は確率的であり得る。すなわち、データおよび事象の考慮事項に基づく当該状態に関する確率分布の演算。推論は、事象および／またはデータのセットから、より高いレベルの事象を構成するために用いられる技法を指す場合もある。事象が密接な時間的近接性において相関していようとなかろうと、かつ事象およびデータが１つの事象ソースおよびデータソースに由来しようと、複数の事象ソースおよびデータソースに由来しようと、かかる推論は、結果として、観察された事象および／もしくは記憶された事象データのセットから新しい事象または活動の構成をもたらす。
【００３２】
次に図を参照すると、図１は、１つまたは複数の態様に関して利用され得るような、複数の基地局１１０および複数の端末１２０を備えた無線通信システム１００を例示する。基地局は、一般に、端末と通信する固定局であり、アクセスポイント、ノードＢ、またはいくつかのその他の専門用語で呼ばれる場合もある。それぞれの基地局１１０は、１０２ａ、１０２ｂ、および１０２ｃとラベル付けされた、３つの地理的領域として例示される、特定の地理的領域に関する通信受信可能範囲を提供する。「セル」という用語は、その用語が使用される文脈に応じて、基地局および／またはその受信可能範囲領域を指す場合がある。システム容量を改善するために、基地局の受信可能範囲領域は、複数のより小さな領域（例えば、図１のセル１０２ａによれば、３つのより小さな領域）１０４ａ、１０４ｂ、および１０４ｃに区分化され得る。それぞれのより小さな領域は、それぞれの基地トランシーバサブシステム（ＢＴＳ）によってサービス提供され得る。「セクタ」という用語は、その用語が使用される文脈に応じて、ＢＴＳおよび／またはその受信可能範囲領域を指す場合がある。セクタ化されたセルの場合、そのセルのすべてのセクタ向けのＢＴＳは、通常、そのセル向けの基地局内の同じ場所に位置され得る。本明細書で説明される伝送技術は、セクタ化されたセルを有するシステムならびにセクタ化されないセルを有するシステムに関して使用され得る。説明を簡単にするために、以下の説明では、「基地局」という用語は、一般的に、セクタにサービス提供する固定局ならびにセルにサービス提供する固定局に関して使用される。
【００３３】
端末１２０は、通常、システムの全体にわたって分散され、それぞれの端末は、固定されても移動可能なものでもよい。端末は、移動局、ユーザ装置、ユーザデバイス、またはいくつかのその他の専門用語で呼ばれる場合もある。端末は、無線デバイス、セルラ電話、携帯情報端末（ＰＤＡ）、無線モデムカードなどであり得る。それぞれの端末１２０は、任意の所与の時点で、ダウンリンク上およびアップリンク上でゼロ、１つまたは複数の基地局と通信することが可能である。ダウンリンク（すなわち、順方向リンク）は、基地局から端末への通信リンクを指し、アップリンク（すなわち、逆方向リンク）は、端末から基地局への通信リンクを指す。
【００３４】
集中型アーキテクチャの場合、システムコントローラ１３０は、基地局１１０に結合して、基地局１１０に調整および制御を提供する。分散されたアーキテクチャの場合、基地局１１０は、必要に応じて１つの別のアーキテクチャと通信することが可能である。順方向リンク上のデータ伝送は、順方向リンクおよび／または通信システムによってサポートされ得る最高データ転送速度でまたは当該データ転送速度に近い速度で、１つのアクセスポイントから１つのアクセス端末に対して発生する。順方向リンクの追加のチャネル（例えば、制御チャネル）は、複数のアクセスポイントから１つのアクセス端末に送信され得る。逆方向リンクのデータ通信は、１つのアクセス端末から１つまたは複数のアクセスポイントに対して発生し得る。
【００３５】
図２は、様々な態様による、専門のまたは未計画の／計画半ばの無線通信環境２００の例である。システム２００は、互いにかつ／または１つもしくは複数の移動体デバイス２０４に対して無線通信信号の受信、送信、繰返しなどを行う１つまたは複数のセクタ内に１つまたは複数の基地局２０２を備え得る。例示されるように、それぞれの基地局２０２は、２０６ａ、２０６ｂ、２０６ｃ、および２０６ｄとラベル付けされた、４つの地理的領域として例示された、特定の地理的領域に関して通信受信可能範囲を提供することが可能である。それぞれの基地局２０２は、当業者によって理解されるように、そのそれぞれが信号の送受信に関連する複数の構成要素（例えば、プロセッサ、変調器、多重化装置、復調器、多重化復調器、アンテナなど）を備え得る送信機チェーンおよび受信機チェーンを備えることが可能である。移動体デバイス２０４は、例えば、セルラ電話、スマート電話、ラップトップ、ハンドヘルド通信デバイス、ハンドヘルドコンピューティングデバイス、衛星ラジオ、全地球測位システム、ＰＤＡ、および／または無線ネットワーク２００上で通信するための任意のその他の適切なデバイスであり得る。システム２００は、後続の図に関して記載されるように、かかる決定された特性の差に基づいて、無線チャネル特性を決定することおよび／または移動体ハンドオーバを決定することを容易にする目的で、本明細書で説明される様々な態様に関して用いられ得る。
【００３６】
図３は、本明細書に記載される少なくとも１つの態様に従って、チャネル依存性のハンドオーバ決定を実現する例示的なシステム３００のブロック図を示す。システム３００は、１つまたは複数の無線チャネルによって、１つまたは複数の無線送信機（例えば、基地局）に通信可能に結合された移動体デバイス３０２を含み得る。アクティブ基地局３０４は、移動体デバイス３０２にデータスループットを提供する。例えば、音声コンテンツ、データコンテンツ、および／またはそれらの類似物が、アクティブ基地局３０４を用いてアクティブ無線チャネルによって移動体デバイス３０２に渡されることが可能であり、かつ移動体デバイス３０２から渡されることが可能である。加えて、移動体デバイス３０２は、１つまたは複数のパッシブ(passive)無線チャネルによって、１つまたは複数のパッシブ基地局３０６に通信可能に結合され得る。パッシブ無線チャネルは、チャネル品質情報など、システム関連のデータ交換を提供することが可能であるが、通常、アクティブコンテンツデータ交換（例えば、音声トラヒック、アプリケーションデータトラヒックなど）を提供しない。
【００３７】
システム３００は、移動体デバイス３０２に結合されたチャネル評価モジュール３０８をさらに含み得る。少なくとも１つの態様によれば、チャネル評価モジュール３０８は、（例えば、移動体デバイス３０２をアクティブ基地局３０４と結合させている）アクティブ無線チャネルの特性に関係する（例えば、アクティブ基地局３０４からの）第１の決定を取得することが可能である。さらに、チャネル評価モジュール３０８は、１つまたは複数の追加の無線チャネルの同じ特性または類似の特性に関係する第２の決定を取得することが可能である。追加の無線チャネルは、少なくとも無線システム情報に関して、移動体デバイス３０２をパッシブ基地局３０６と通信可能に結合させることが可能である。
【００３８】
１つの非限定的な例では、チャネル評価モジュール３０８は、チャネル品質の評価を取得することが可能である。例えば、チャネル品質決定は、デシベル（ｄＢ）で測定された、特定の無線チャネルのデータ伝送の強度および／または明瞭さの測定を提供することが可能である。したがって、かかる例では、チャネル評価モジュール３０８は、ｄＢで測定された、アクティブ基地局３０４に関連するアクティブ無線チャネルに関係する第１のチャネル品質決定を取得することが可能である。さらに、チャネル評価モジュール３０８は、やはりｄＢで測定された、１つまたは複数のパッシブ基地局、すなわちターゲット基地局３０６に関連する（１つまたは複数の）パッシブ無線チャネルに関係する第２のチャネル品質決定を取得することが可能である。
【００３９】
前述の説明に加えて、システム３００は、第１の決定と第２の決定とのマグニチュードの差に少なくとも一部基づいて、移動体デバイス３０２に関するハンドオーバを実施することが可能なハンドオーバ評価モジュール３１０を含み得る。例えば、第１の決定が、アクティブチャネルに関して１０ｄＢのチャネル品質を示し、第２の決定が、１つまたは複数のパッシブチャネル、すなわちターゲットチャネルに関して４ｄＢのチャネル品質を示す場合、マグニチュードの差、すなわち、６ｄＢがハンドオーバ決定と関連づけられることが可能である。
【００４０】
したがって、１つまたは複数の観察間隔（例えば、チャネルの特性を測定するために利用される期間）にわたるチャネル品質の急速な劣化または改善がシステム３００によって識別されて、ハンドオーバを実施するか否かを決定する際に利用されることが可能である。これにより、例えば、パッシブ無線チャネルが、（１つまたは複数の）観察間隔にわたってアクティブチャネルに対してますます好ましくなる場合、ハンドオーバが実施され得る。あるいは、アクティブ無線チャネルが、パッシブチャネルに対してますます好ましくなる場合、またはチャネル品質決定同士の間のマグニチュードの差が最低しきい値に満たない場合、ハンドオーバは見送られることが可能である。したがって、システム１００は、観察間隔にわたってどのチャネルがより良好であるかの単純化された決定に限定されない。むしろ、システム１００は、その代わりに、チャネル特性の差の程度を決定および利用することが可能である。
【００４１】
図４は、少なくとも１つの態様に従って、チャネル依存性のハンドオーバ決定を実現するサンプルシステム４００のブロック図を示す。システム４００は、ソースチャネル４０４Ａによって、ソース基地局、すなわち、アクティブ基地局４０４と通信可能に結合された移動体デバイス４０２を含む。加えて、移動体デバイス４０２は、ターゲットチャネル４０６Ａによって、ターゲット基地局、すなわちパッシブ基地局４０６と通信可能に結合される。移動体デバイス４０２は、チャネル品質特性のマグニチュードの差の関数に基づいて、少なくとも１つまたは複数のターゲット無線チャネル４０６Ａのハンドオーバクレジットの数を更新することが可能なハンドオーバ管理構成要素４０８とさらに関連づけられることが可能である。したがって、システム４００は、チャネル品質のマグニチュードのかかる差に少なくとも一部基づいて、ハンドオーバを実施するかどうかを評価する機構を提供する。
【００４２】
ハンドオーバ管理構成要素４０８は、（１つまたは複数の）ターゲットチャネル４０６Ａおよびソースチャネル４０４Ａの特性に基づいて、１つまたは複数のターゲットチャネル４０６Ａに関連するハンドオーバクレジット４１０のプールを更新することが可能である。少なくとも１つの態様では、チャネル特性は、受信信号強度、ＳＮＲ、ＳＮＩＲ、ＲＰＲＥなど、チャネル品質指示子を備え得る。アクティブ基地局４０４および／もしくは移動体デバイス４０２は、ある期間、すなわち観察間隔にわたってアクティブチャネル４０４Ａの特性を評価することが可能である。評価は、アクティブチャネルの特性の測定をもたらすことが可能であり、この場合、この測定は、当該期間にわたって、少なくともマグニチュード（例えば、１０ｄＢ）を有する。さらに、パッシブ基地局４０６および／または移動体デバイス４０２は、当該期間、または類似期間（例えば、同じ期間、存続期間と比較してわずかな程度適時にオフセットされる期間など、同じ存続期間を有する類似の期間、など）にわたって（１つまたは複数の）ターゲットチャネル４０６Ａの特性を評価することが可能である。（１つまたは複数の）ターゲットチャネル４０６Ａの評価は、当該期間または類似期間にわたって、少なくともマグニチュード（例えば、１５ｄＢ）を含むことも可能である。
【００４３】
移動体デバイス４０２においてチャネル特性評価が実行または受信されると、評価のマグニチュードが比較される。（１つまたは複数の）ターゲットチャネル評価が、ソースチャネル評価に、オプションで、差要因を加えたものよりも好ましい（例えば、信号強度がより大きい）場合、ハンドオーバ管理構成要素４０８は、その（１つまたは複数の）ターゲットチャネル４０６Ａに関連するハンドオーバクレジットプール４１０にハンドオーバクレジットの数を加算することができる。ソースチャネル評価が（１つまたは複数の）ターゲットチャネル評価よりも好ましい場合、ハンドオーバ管理構成要素４０８は、ハンドオーバクレジットプール４１０からハンドオーバクレジットの数を減算することができる。ハンドオーバクレジットプール４１０に加算されたまたはハンドオーバクレジットプール４１０から減算されたクレジットの数は、少なくともソース評価およびターゲット評価のマグニチュードの差の関数であり得る。
【００４４】
前述の説明の非限定的な例として、ターゲットチャネル評価がソースチャネル評価よりも好ましい場合、ターゲット／ソースチャネル格差(target/source channel disparity)（マグニチュードの差）は、ターゲット評価およびソース評価の差に差要因を加えたものに基づいて決定され得る。次の形式の式が格差を決定できる：
Δ１＝ＴＣＨ −（ＳＣＨ ＋ ＤＩＦＦ）
但し、Δ１は、（１つまたは複数の）ターゲットチャネルがソースチャネルより強いときの、またはそうでなければソースチャネルよりも好ましいときの、チャネル格差であり、ＴＣＨは、（１つまたは複数の）ターゲットチャネルの評価マグニチュード（例えば、信号強度、品質、ＳＮＲ、ＳＮＩＲ、ＲＰＲＥなど）であり、ＳＣＨは、ソースチャネル評価のマグニチュード（例えば、信号強度、品質、ＳＮＩＲ、ＲＰＲＥなど）であり、ＤＩＦＦは、最低オフセット値（例えば、実質上１ｄＢから３ｄＢ）である。上記に加えて、ソースチャネル評価が（１つまたは複数の）ターゲットチャネル評価よりも好ましいときは、格差は次の形式の式によって決定されることができる：
Δ２＝ＳＣＨ −（ＴＣＨ ＋ＤＩＦＦ）
但し、Δ２は、ソースチャネルが（１つまたは複数の）ターゲットチャネルよりも強いときの、またはそうでなければ、（１つまたは複数の）ターゲットチャネルよりも好ましいときの、チャネル格差である。
【００４５】
チャネル格差Δ１あるいはΔ２が決定されると、ハンドオーバプール４１０に加算されるまたはハンドオーバプール４１０から減算されるハンドオーバクレジットの数(a number of handover credits)が、決定され得る。一態様では、ハンドオーバクレジットは、格差Δ１またはΔ２の関数として決定される。例えば、クレジットの数は、変化する格差で一次的に(linearly)、変化する格差で二次的に(quadratically)、格差が変化するにつれて様々な量子化単位で、等々、決定されることができる(a number of credits can be determined linearly with changing disparity, quadratically with changing disparity, in various quantized units as disparity changes, and so on)。クレジットの数を決定するために、ここに説明されるように、任意の適切な関数が用いられることができるということが、理解されるべきである。
【００４６】
前述の説明に加えて、ハンドオーバは、ハンドオーバしきい値４１０Ａ、４１０Ｂと比較した、累積されたクレジットの数に基づいて、移動体デバイス４０２によって実施され得る。（１つまたは複数の）ターゲットチャネルクレジットプール４１０内のクレジットの数が、一次しきい値４１０Ａ（例えば、逆方向ハンドオーバしきい値）を超える場合、移動体デバイス４０２は、アクティブチャネル、すなわち、（１つまたは複数の）ターゲットチャネルに関係する測定レポートをトリガすることが可能である。詳細には、ソースチャネル特性および／またはターゲットチャネル特性のレポートが生成されて、移動体デバイス４０２と結合された基地局（４０４、４０６）を経由して移動体ネットワークにアウトプットされることが可能である。いくつかの態様では、ソースチャネル４０４Ａから１つまたは複数のターゲットチャネル４０６Ａに対するハンドオーバ要求（例えば、逆方向ハンドオーバ、すなわち、ネットワーク開始されたハンドオーバ）は、当該レポートを伴うことが可能である。前述の説明に加えて、クレジットの数が二次しきい値４１０Ｂ（例えば、順方向ハンドオーバしきい値）を超える場合、移動体デバイス４０２は、順方向ハンドオーバを実施することが可能である。例えば、移動体デバイス４０２は、ソースチャネル４０４Ａとのアクティブ接続を終了して、１つまたは複数のターゲットチャネル４０６Ａとの接続をアクティブ化することが可能である。いくつかの態様では、二次しきい値４１０Ｂは、一次しきい値４１０Ａよりもより大きい数のハンドオーバクレジットと関連づけられる。
【００４７】
説明されたように、システム４００は、ソース無線チャネルおよびターゲット無線チャネル（４０４Ａ、４０６Ａ）の同時発生する強度、品質、または類似の特性に基づいて、ハンドオーバ決定を実現することが可能である。特性の変化のマグニチュードを決定することによって、ターゲットチャネルに関するソースチャネルの急速な劣化がハンドオーバをもたらし得る。同様に、ソースチャネルに関してターゲットチャネルの急速な改善も同様にハンドオーバをもたらし得る。したがって、システム４００は、ソースチャネルの急速な悪化の結果として生じる呼の中断の例を削減することが可能である。
【００４８】
図５は、移動体ハンドオーバを実施することに関して、１つまたは複数の無線チャネルを評価する例示的なシステム５００のブロック図を示す。システム５００は、無線チャネルを経由して移動体デバイス（図示せず）を少なくとも１つの無線送信機（例えば、基地局）に通信可能に結合させることが可能な移動体デバイストランシーバ５０２を含み得る。無線チャネルは、移動体デバイスと無線送信機の間のデータ交換を容易にする。
【００４９】
システム５００は、チャネル評価モジュール５０４をさらに含み得る。チャネル評価モジュール５０４は、無線チャネルおよび／または（１つまたは複数の）ターゲット無線チャネルの特性に関係する１つまたは複数の決定を取得する。かかる特性は、例えば、信号強度、信号品質、干渉、チャネル雑音、マルチパスもしくはマルチパス散乱、ＳＮＲ、ＳＮＩＲ、ＲＰＲＥ、またはそれらの組合せもしくは類似の組合せを含み得る。チャネル評価モジュール５０４は、例えば、チャネルフィルタリング関数を用いることによって、無線チャネル特性に関係する信号をフィルタリングすることが可能な正規化モジュール５０６も含み得る。例えば、フィルタリングは、現在のチャネル決定およびこれまでのチャネル決定の正規化を備え得る。いくつかの態様では、フィルタリングは、現在の決定およびこれまでの決定の相対的な重要度を評価するための重み係数を備え得る。特定の例として、正規化モジュール５０６は、チャネルフィルタリングを実施するために、１タップ（1-tap）の無限インパルス応答（ＩＩＲ）フィルタを用いることが可能である。追加の態様によれば、正規化モジュール５０６は、１タップのＩＩＲフィルタに関して次の形式の式を用いることが可能である。
【数１】
2010522507.tif 000003
【００５０】
但し、ｙ（ｎ）は、現在のフィルタリングされた決定（例えば、ターゲットチャネル特性、ソースチャネル特性などの同時発生する決定）であり、ｙ（ｎ−１）は、（例えば、それぞれ、現在のフィルタリングされたソース決定またはターゲット決定に先立って取得および計算された）これまでのフィルタリングされたソースチャネル決定またはターゲットチャネル決定であり、ｘ（ｎ）は、現在のフィルタリングされていないソース決定またはターゲット決定であり、式中、
【数２】
2010522507.tif 000004
【００５１】
は、フィルタリングされていない決定および先のフィルタリングされた決定に相対的な重みを提供するフィルタリング定数である。別の例として、正規化モジュール５０６は、チャネルフィルタリング関数として、有限インパルス応答（ＦＩＲ）フィルタを用いることが可能である。
【００５２】
フィルタリングが完了すると、利用された場合、チャネル決定は、チャネル評価モジュール５０４によって計算モジュール５０８に転送される。計算モジュール５０８は、（例えば、フィルタリングされた、またはフィルタリングされていない）チャネル特性の決定のマグニチュードの差を評価することが可能である。さらに、計算モジュール５０８は、マグニチュードの差の所定の関数に基づいて、ハンドオーバクレジットプールに加算されることになる、またはハンドオーバクレジットプールから減算されることになるハンドオーバクレジットの数を決定することが可能である。少なくとも一態様では、ハンドオーバクレジットの数を決定するために、次の形式の関数が用いられることができる：
Δ＜２ｄＢ          の場合は、  ｎ＝０      
２ｄＢ≦Δ≦４ｄＢ  の場合は、  ｎ＝１      
４ｄＢ≦Δ≦６ｄＢ  の場合は、  ｎ＝２      
６ｄＢ≦Δ＜８ｄＢ  の場合は、  ｎ＝３      
８ｄＢ≦Δ          の場合は、  ｎ＝４      
但し、ｎはハンドオーバクレジットの数であり、Δはマグニチュードの差である。少なくとも１つのさらなる態様によれば、マグニチュードの差は、上記の図４で説明された格差式(disparity equations)に基づいて決定され得る。ハンドオーバクレジットの数が決定されると、ハンドオーバ管理モジュール５１０は、１つまたは複数のターゲットチャネルに関連するハンドオーバクレジットプールを更新することが可能である。詳細には、（１つまたは複数の）ターゲットチャネルのマグニチュードが、ソースチャネルのマグニチュードよりもより大きい（例えば、実質上１ｄＢから３ｄＢ以上）場合、ハンドオーバ管理モジュール５１０は、クレジットプールのハンドオーバクレジットの数を増やすことができる。さらなる態様によれば、ソースチャネルのマグニチュードが、（１つまたは複数の）ターゲットチャネルのマグニチュードよりもより大きい（例えば、実質上１ｄＢから３ｄＢ以上）場合、ハンドオーバ管理モジュール５１０は、クレジットプールのハンドオーバクレジットの数を減らすことができる。
【００５３】
システム５００は、ターゲットチャネル決定およびソースチャネル決定のマグニチュードの差に少なくとも一部基づいて、移動体デバイスに関するハンドオーバを実施するかどうかを決定するハンドオーバ評価モジュール５１２をさらに含み得る。いくつかの態様では、（１つまたは複数の）決定は、（１つまたは複数の）ターゲットチャネルに関連するハンドオーバクレジットを１つまたは複数のしきい値と比較することを備え得る。例えば、ハンドオーバクレジットが一次しきい値を超える場合、ターゲットチャネルおよびソースチャネルに関連する測定レポートがトリガされ得る。この測定レポートは、逆方向ハンドオーバの要求を含むこと、または当該要求を伴うことが可能である。このような場合、アウトプットモジュール５１４は、測定レポートを生成して、当該レポートを移動体ネットワークに提出することによって、逆方向ハンドオーバの要求を開始することができる。このレポートは、ソースチャネル特性および／またはターゲットチャネル特性、ハンドオーバクレジットと一次しきい値の比較などを含み得る。前述のように、このレポートは、ソースチャネルから（１つまたは複数の）ターゲットチャネル（のうちの１つ）に対するネットワーク開始されたハンドオーバの要求を備えること、または当該要求を伴うことが可能である。
【００５４】
ハンドオーバクレジットの数が二次しきい値を超える場合、順方向ハンドオーバが実施され得る。実行モジュール５１６は、順方向ハンドオーバを実施して、移動体デバイスにアクティブチャネルを終了させて、ターゲットチャネルをアクティブ化させることが可能である。したがって、移動体通信に関連するコンテンツサービスは、ソースアクティブソースチャネルではなく、ターゲットチャネルによって後で引き渡される。ハンドオーバが実施される場合、ハンドオーバ管理モジュール５１０は、（１つまたは複数の）ターゲットチャネルに関連するハンドオーバクレジットの数をゼロにリセットすることができる。次いで、システム５００は、ソースチャネル（または、例えば、新しいソースチャネルになったターゲットチャネル）および移動体デバイスの範囲内の任意の追加のターゲットチャネルを評価し続けることが可能である。
【００５５】
図６は、移動体デバイス６０２を備える例示的なシステム６００のブロック図を示す。移動体デバイス６０２は、本明細書で説明されるように、ソース無線チャネルおよびターゲット無線チャネルの特性に基づいてハンドオーバを実施するように構成され得る。したがって、適切な場合、移動体デバイス６０２は、ソースチャネル／ターゲットチャネルの急速な劣化または改善に基づいて、ハンドオーバを実施することが可能である。したがって、移動体デバイス６００は、いくつかの事例において呼の中断率を低減して、より頑強な移動体通信を容易にすることが可能である。
【００５６】
移動体ハンドセット６０２は、（例えば、１つまたは複数の無線チャネルの特性に関係するデータを備える）信号を受信する、少なくとも１本のアンテナ６０６（例えば、インプットインターフェースを備えた伝送受信機またはかかる受信機のグループ）と、受信された信号に関して典型的な活動（例えば、フィルタリング、増幅、ダウンコンバートなど）を実行する受信機６０８とを含む。詳細には、アンテナ６０６および送信機６３０（集合的に、トランシーバと呼ばれる）は、基地局６０４との無線データ交換を容易にするように構成され得る。一例では、アンテナ６０６は、移動体デバイス６０２と基地局６０４の間の無線リンクの１つまたは複数の特性の測定を決定することに関係する情報を受信するように構成され得る。
【００５７】
アンテナ６０６および受信機６０８は、受信されたシンボルを復調して、評価のためにそれらの受信されたシンボルをプロセッサに提供することが可能な復調器６１０と結合されることも可能である。プロセッサ６１２は、アンテナ６０６によって受信された情報を分析し、かつ／または送信機６３０による伝送に関する情報を生成することが可能である。加えて、プロセッサ６１２は、移動体ハンドセット６０２の１つまたは複数の構成要素（６０６、６０８、６１０、６１４、６１６、６１８、６２０、６２２、６２４、６２６、６２８、６３０）を制御および／または参照することが可能である。さらに、プロセッサ６１２は、移動体デバイス６０２の実行機能に関係する情報または制御を備える、１つまたは複数のモジュール、アプリケーション、エンジンなど（６２０、６２２、６２４）を実行することが可能である。例えば、かかる機能は、遠隔ソース（６０４）からデータを受信すること、無線チャネルの特性の決定を受信すること、当該決定を別の無線チャネルの決定された特性と比較すること、特性のマグニチュードの差を取得すること、およびマグニチュードの差に少なくとも一部基づいて、ハンドオーバを実施するかどうかを決定することなどを含み得る。
【００５８】
移動体ハンドセット６０２は、プロセッサ６１２に動作可能に結合されたメモリ６１６を追加として含み得る。メモリ６１６は、送受信などされることになるデータを記憶することが可能である。さらに、メモリ６１６は、本明細書で説明されるように、チャネル特性を決定すること、またはハンドオーバを実施することに関係する１つまたは複数のプログラムモジュール（６１４、６１８、６２０、６２２、６２４、６２６）を記憶することが可能である。
【００５９】
少なくとも一態様では、移動体ハンドセット６０２は、チャネル評価モジュール６１４を備え得る。チャネル評価モジュール６１４は、移動体ハンドセット６０２によって利用される、１つまたは複数の無線チャネルの評価された特性を（例えば、無線伝送を経由して計算または受信することによって）取得することが可能である。これらの特性は、別の信号特性に対して、受信された信号特性に重みをかける重み関数を利用して、例えば、正規化／計算モジュール６２２によってフィルタリングされ得る。一例では、重み関数は、先の信号特性に対して、同時発生する信号特性に重みをかける、１タップのＩＩＲフィルタであり得る。別の例では、重み関数はＦＩＲフィルタであり得る。
【００６０】
さらに、移動体ハンドセット６０２は、ハンドオーバ評価モジュール６１８を備え得る。かかるモジュール６１８は、基地局６０４とのアクティブリンクを提供しているソース無線チャネルからターゲット無線チャネルに対してハンドオーバが実施され得るかどうかを決定することが可能である。この決定は、１つまたは複数の観察間隔にわたって、かかる無線チャネルの決定された特性の差に少なくとも一部基づいて下され得る。いくつかの態様では、この決定は、ハンドオーバクレジットを１つまたは複数のしきい値と比較することを備え得る。さらに、ハンドオーバクレジットは、ソースチャネルに対してターゲットチャネルの、信号品質、強度などの格差に基づいて累積され得る。
【００６１】
前述の説明に加えて、移動体ハンドセット６０２は、ハンドオーバ管理モジュール６２０を含み得る。ハンドオーバ管理モジュール６２０は、ターゲット無線チャネルに関連するハンドオーバクレジットのプールを追跡することが可能である。このハンドオーバクレジットは、１つまたは複数のターゲット無線チャネルと比較して、ソース無線チャネルの好みの測定を提供することが可能である。さらに、ハンドオーバ管理モジュール６２０は、同時発生するチャネル決定に応じて、クレジットのプールを更新することが可能である。例えば、ソースチャネルの強度、品質などが、所定の量（例えば、１ｄＢから３ｄＢ、または類似の測定基準）だけターゲットチャネルの強度、品質などよりもより悪い場合、ハンドオーバクレジットの数はプールに加算されることが可能である。ターゲットチャネルの強度、品質などがソースチャネルよりもより悪い場合、ハンドオーバクレジットの数は当該プールから減算されることが可能である。さらに、クレジットの数は、強度、品質などのマグニチュードの差の関数によって決定され得る。計算／正規化モジュール６２２は、評価されたチャネル特性の決定された差に基づいてクレジットの数を提供する、本明細書で説明されるような機能を含み得る。クレジットの数は、本明細書で説明されるように、ターゲットチャネルに関連するクレジットのプールに加算されることが可能であり、または当該プールから減算されることが可能である。
【００６２】
加えて、移動体ハンドセット６０２は、それぞれ、チャネル測定レポートをトリガして、転送ハンドオーバを実施するためのアウトプットモジュール６２６および実行モジュール６２８を含み得る。ターゲットチャネルに関連するハンドオーバクレジットの数が一次しきい値に、オプションで、非負オフセット(non-negative offset)（例えば、０ｄＢから３ｄＢ）を加えた値以上である場合、アウトプットモジュール６２６は、（例えば、逆方向ハンドオーバ要求に関して）測定レポートをトリガすることが可能である。この測定レポートは、ターゲットチャネル特性および／またはソースチャネル特性の概要を生成することを備え得る。この測定レポートは、ソースチャネルからターゲットチャネルに対してネットワーク開始された転送の要求をさらに備え得る。他方で、ハンドオーバクレジットの数が二次しきい値以上である場合、実行モジュール６２６は、順方向ハンドオーバを実施することが可能である。順方向ハンドオーバは、ターゲット無線チャネルの移動体開始された活性化、およびこれまでのソース無線チャネルの終了または非活性化を含み得る。
【００６３】
移動体ハンドセット６０２は、変調器６２８と、（例えば、プロセッサ６１２および変調器６２８によって）生成された信号を、例えば、基地局６０４、アクセスポイント、別のアクセス端末、遠隔エージェントなどに送信する送信機６３０とをなおさらに備え得る。説明されたように、システム６００は、ターゲットチャネル特性およびソースチャネル特性の格差に基づいてハンドオーバを実施することを容易にし得る移動体デバイス６０２を提供する。したがって、移動体デバイス６０２は、少なくとも、移動体コンテンツの交換を続けるために、少なくとも１つのターゲットチャネルが利用可能である場合、ソースチャネルの急速な劣化に基づいて、呼の中断の可能性を削減することが可能である
図７は、本明細書で開示される少なくとも１つの態様に従って、チャネル依存性のハンドオーバを容易にすることが可能な例示的なシステム７００のブロック図を示す。システム７００は、アクティブ無線チャネルを経由して移動体デバイス７０２と結合された基地局７０４を備え得る。加えて、システム７００は、１つまたは複数のパッシブ無線チャネルを経由して移動体デバイス７０２と結合された、１つまたは複数のパッシブ基地局７０６を備え得る。基地局７０４は、アクティブチャネルに関連する特性を決定して、（１つもしくは複数の）パッシブチャネルに関連する特性を決定または取得することが可能な評価モジュール７０８と関連づけられることが可能である。決定された特性は、ハンドオーバを実施するかどうかを決定することを容易にするために、移動体デバイス７０２に転送され得る。詳細には、本明細書で説明されるように、ハンドオーバを決定するためにチャネル特性の格差が利用され得る。
【００６４】
いくつかの態様では、評価モジュール７０８は、ソースチャネルの特性に関係する第１の決定を実施することが可能である。さらに、評価モジュールは、（１つまたは複数の）ターゲットチャネルの特性に関係する第２の決定を取得または実施することが可能である。これらの決定は、タイミングモジュール７１０によって確立された特定の期間、すなわち観察間隔にわたってよい。いくつかの態様では、観察間隔は、第１の決定および第２の決定に関する共通の時間長であり得る。さらにその他の態様によれば、共通の時間長は実質上０．５ミリ秒であり得る。少なくとも１つのさらなる態様では、タイミングモジュールは、共通の観察間隔にわたって第１および第２の決定を実施することが可能であり、この場合、共通の観察間隔は、共通の０．５ミリ秒期間であり得る。
【００６５】
前述の説明に加えて、ソースチャネル決定およびターゲットチャネル決定は、移動体デバイス７０２に関するハンドオーバを実施することを容易にすることが可能である。例えば、第１および第２の決定によって提供された信号強度、信号品質、ＳＮＲ、ＳＮＩＲ、ＲＰＲＥなどの差は、ハンドオーバを実施するかどうかを決定するために移動体デバイス７０２によって利用され得る。一態様では、ソースチャネルおよびターゲットチャネルの特性としてダウンリンク信号品質が用いられ得る。したがって、例えば、ｄＢで測定された、ダウンリンク信号品質の差は、ハンドオーバが実施されるべきかどうかを少なくとも一部決定することが可能である。その他の態様では、この決定は、ソース無線チャネルおよびターゲット無線チャネルの現在のロードまたは容量に基づくことも可能である。例えば、ローディングモジュール７１２は、ターゲットチャネルおよび／またはソースチャネルの容量を決定することが可能である。この容量決定は、ターゲットチャネルが移動体デバイス７０２をサポートするために十分なリソース（例えば、帯域幅、符号分割多元接続［ＣＤＭＡ］環境において利用可能なコード、直交周波数分割多元接続［ＯＦＤＭ］環境において利用可能なトーンなど）を有するかどうかを識別することが可能である。かかる容量情報は、移動体デバイス７０２に転送されることが可能であり、または移動体デバイス７０２に関してネットワーク開始されたハンドオーバを実施するかどうかを決定する際に利用されることが可能である。
【００６６】
図８は、チャネル依存性のハンドオーバを容易にすることが可能なサンプル基地局８０２を備えた例示的なシステム８００のブロック図を示す。詳細には、移動体デバイス８０４にアクティブデータ交換を提供している、ソースチャネルの特性（例えば、信号品質、信号強度、干渉、雑音、ＳＮＲ、ＳＮＩＲ、ＲＰＲＥなど）、および移動体デバイス８０４とパッシブに結合されたターゲットチャネルの１つまたは複数の特性の格差が、基地局８０２によって識別されて、移動体デバイス８０４に転送され得る。加えて、ハンドオーバを実施するかどうかをさらに品質するために、基地局８０２によってチャネルロードおよびチャネル容量が決定され得る。したがって、システム８００は、改善された移動体通信がソースチャネル／ターゲットチャネルの相対特性の急速な劣化の検出を可能にすること、および、それに少なくとも一部基づいてハンドオーバを実施することを容易にする。
【００６７】
システム８００は、複数の受信アンテナ８０６を介して、１つまたは複数の移動体デバイス８０４から（１つまたは複数の）信号を受信する受信機８１０と、（１本または複数の）送信アンテナ８０８を介して、１つまたは複数の移動体デバイス８０４に送信する送信機８３０とを備えた基地局８０２（例えば、アクセスポント、・・・）を備える。受信機８１０は、受信アンテナ８０６から情報を受信することが可能であり、基地局８０２によって提供された伝送割当て期間に従ってスケジュールされたアップリンクデータを受信する、信号受信装置(signal recipient)（図示せず）をさらに備えることが可能である。加えて、受信機８１０は、受信された情報を復調する復調器８１２と動作可能に関連づけられる。復調されたシンボルは、（１つまたは複数の）移動体デバイス８０４と結合された１つまたは複数の無線チャネルのチャネル特性を決定または取得することと、解析のためにかかる特性を（１つもしくは複数の）移動体デバイス８０４に転送することと、ネットワーク開始されたハンドオーバを実施するための要求を受信することと、１つもしくは複数のターゲット無線チャネルのロードおよび／または容量を決定することと、（１つもしくは複数の）移動体デバイス８０４に関してネットワーク開始されたハンドオーバを実施することとに関係する情報、ならびに／あるいは本明細書に記載された様々な活動および機能を実行することに関係する任意のその他の適切な情報を記憶するメモリ８１６に結合されたプロセッサ８１４によって解析される。
【００６８】
プロセッサ８１４は、（１つまたは複数の）移動体デバイス８０４に関連する無線チャネルの特性の決定を実施または取得することが可能な評価モジュール８１８にさらに結合される。例えば、評価モジュール８１８は、アクティブチャネルに関連する信号強度をｄＢで決定することが可能である。さらに、評価モジュール８１８は、ターゲットチャネルの信号強度をｄＢで決定または取得することが可能である。決定された／取得された信号強度値は、アクティブチャネルを介して（１つまたは複数の）移動体デバイス８０４に転送され得る。
【００６９】
プロセッサ８１４は、本明細書で説明されるように、１つまたは複数の信号決定に関する観察間隔を設定することが可能なタイミングモジュール８２０にさらに結合され得る。加えて、プロセッサ８１４は、（１つまたは複数の）移動体デバイス８０４から逆方向ハンドオーバに関連する接続性レポートを受信することが可能なチャネル接続性モジュール８２４に結合され得る。この接続性レポートは、１つまたは複数のソースチャネル決定および１つまたは複数のターゲットチャネル決定のマグニチュードの差に基づいて、（１つまたは複数の）移動体デバイス８０４によって開始される。特定の例として、逆方向ハンドオーバは、（例えば、接続性レポートを開始することに関連する）一次しきい値に、オプションで、非負しきい値を加えた値以上のターゲットチャネルハンドオーバクレジットの累積の結果として生じ得る。
【００７０】
前述の説明に加えて、プロセッサ８１４は、ローディングモジュール８２２と関連づけられることが可能である。ローディングモジュール８２２は、基地局８０２および少なくとも１つのターゲット無線チャネルの容量を決定することが可能である。相対容量は、ネットワーク開始されたハンドオーバに関して利用され得る。例えば、基地局転送モジュール８２６は、（１つまたは複数の）移動体デバイス８０４を基地局８０２と結合させている、アクティブ無線チャネルから、（１つまたは複数の）移動体デバイス８０４を１つまたは複数のその他の基地局（図示せず）と結合させているパッシブ無線チャネルに対して、（１つまたは複数の）移動体デバイス８０４に関するかかるハンドオーバを実施することが可能である。より詳細には、アクティブ無線チャネルからパッシブ無線チャネルに対するハンドオーバは、ローディングモジュール８２２によって決定された基地局容量、および／またはチャネル特性のマグニチュードの差に少なくとも一部基づいて実施され得る。
【００７１】
前述のシステムは、いくつかの構成要素、モジュールおよび／または電子インターフェース機能の間の相互作用に関して説明されている。かかるシステムおよび構成要素／モジュール／機能は、本明細書で特定されるそれらの構成要素もしくは副構成要素、特定された構成要素もしくは副構成要素のいくつか、ならびに／または追加の構成要素を含み得る点を理解されたい。例えば、システムは、移動体デバイス３０２、アクティブ基地局３０４、チャネル評価モジュール３０８、ハンドオーバ管理モジュール４０８、ならびに計算モジュール５０８、またはこれらの構成要素および／もしくはその他の構成要素の異なる組合せを含み得る。副構成要素は、親構成要素内に含まれるのではなく、その他の構成要素に通信可能に結合された構成要素として実施されることも可能である。加えて、１つまたは複数の構成要素は、集約機能性を提供している単一の構成要素に組み合わされることが可能である点に留意されたい。例えば、計算モジュール５０８は、着信データに重みをかけるためにフィルタリング関数を提供すること、および、単一の構成要素によって、ハンドオーバクレジットの数と（１つまたは複数の）チャネル特性のマグニチュードの差の間の機能的関係を提供することを容易にするために、正規化モジュール５０６を含むことが可能であり、またはその逆も可能である。これらの構成要素は、本明細書で詳細に説明されないが、当業者によって知られている１つまたは複数のその他の構成要素と相互作用することも可能である。
【００７２】
さらに、開示されるシステムの様々な部分は、人工知能もしくは人工知識または規則を基盤とする構成要素、副構成要素、プロセス、手段、方法論、あるいは機構（例えば、サポートベクトル機械、ニューラルネットワーク(neural network)、エキスパートシステム、ベイジアンビリーフネットワーク(Bayesian belief networks)、ファジー論理、データフュージョンエンジン(data fusion engines)、分類器・・・）を含むことが可能であるか、またはこれらから構成されることが可能である。かかる構成要素は、特に、かつ本明細書ですでに説明されたものに加えて、システムの部分をより順応的ならびに効率的および知的にするためにそれによって実行されるある種の機構またはプロセスを自動化することが可能である。
【００７３】
図９から１２を参照すると、チャネル依存性の移動体ハンドオーバを実施および／または容易にすることに関係する方法論が示される。説明を簡単にするために、これらの方法論は、一連の活動として示され、説明されるものの、これらの方法論はその活動の順序によって限定されない点を理解および認識されたい。例えば、１つまたは複数の態様によれば、いくつかの活動は、本明細書で示され、説明される順序と異なる順序でかつ／または本明細書で示され、説明される活動と異なる活動と同時に発生する場合がある。加えて、当業者は、これらの方法論は、あるいは、状態図におけるように、一連の相互に関係する状態または事象として表される場合がある点を理解および認識されよう。さらに、すべての例示された活動が１つまたは複数の態様に従って方法論を実施するために要求されるとは限らない。
【００７４】
図９は、少なくとも１つの態様に従って、チャネル依存性のハンドオーバを提供するための例示的な方法論９００を示す。９０２において、方法９００は、無線チャネルの特性に関係する第１の決定を取得することが可能である。例えば、無線チャネルは、移動体デバイスを基地局と通信可能に結合させているアクティブ無線チャネルであり得る。したがって、無線チャネルは、移動体デバイスに対して接続性ならびに音声コンテンツおよび／またはデータコンテンツを提供することが可能である。
【００７５】
前述の説明に加えて、この決定は、移動体デバイスにおいて１つもしくは複数のアプリケーションから、または基地局において１つまたは複数のアプリケーションから取得され得る。例えば、この決定は、移動体デバイスに関するデータ交換の信頼性を評価するのに適した無線チャネルの１つまたは複数の特性に関係し得る。かかる特性は、信号品質、信号強度、信号雑音、信号干渉、マルチパス散乱など、またはそれらの組合せを含み得るが、これらに限定されない。加えて、この決定は、結果として、無線チャネルの（１つまたは複数の）かかる特性のマグニチュードをもたらすことが可能である。
【００７６】
９０４において、方法９００は、１つまたは複数の追加の無線チャネルの特性に関係する第２の決定を取得することが可能である。１つまたは複数の追加の無線チャネルの特性は、上記無線チャネルの特性と同じであってよく、または類似の対応する特性であってもよい。第２の決定は、結果として、１つまたは複数の追加の無線チャネルの特性のマグニチュードをもたらすことが可能である。
【００７７】
９０６において、方法９００は、第１の決定および第２の決定のマグニチュードの差と、オプションで、非負オフセットを加えたものに少なくとも一部基づいて、移動体デバイスに関するハンドオーバを実施すること、または移動体デバイスに関する伝送レポートを開始することが可能である。特定の例として、マグニチュードの差は、信号強度のｄＢ数、または（１つもしくは複数の）特性の類似の測定単位であってよい。この伝送レポートは、移動体デバイスによって開始されて、少なくともマグニチュードの差を提供する。この伝送レポートは、ネットワーク開始されたハンドオーバの要求をさらに伴うことが可能である。第１および第２の決定のマグニチュードの差は、結果として、移動体デバイスによって開始された転送ハンドオーバ、すなわちアクティブハンドオーバをもたらすことも可能である。ソースチャネルおよびターゲットチャネルの差の程度、すなわちマグニチュードを組み込むことによって、ハンドオーバの確率は、チャネル特性の格差の関数として重みづけされ得る。例えば、ターゲットチャネルがソースチャネルよりもより良好な伝送特性を提供する場合、ハンドオーバの見込みはより高まる可能性がある。
【００７８】
従来のハンドオーバ決定は、ある数の観察間隔にわたってターゲットチャネルがソースチャネルよりもより良好な接続性を提供する回数を用いるが、かかる接続性の格差を無視する。したがって、ソースチャネルの接続性の急速な低下は、結果として、呼の中断をもたらす可能性がある。対照的に、方法９００は、ソースチャネルおよびターゲットチャネルの接続性の大きな格差に基づいて、ハンドオーバの確率を高めることによって、呼の中断の可能性を低下させることが可能である。したがって、方法９００は、信頼性のある無線通信に著しい利点を提供する。
【００７９】
図１０は、１つまたは複数のその他の態様に従って、チャネル依存性のハンドオーバを提供するための例示的な方法論１０００を示す。１００２において、方法１０００は、ソース無線チャネルおよびターゲット無線チャネルの信号品質を取得することが可能である。かかる信号品質は、例えば、特定の移動体デバイスと結合された基地局から取得され得る。あるいは、または加えて、信号品質は、移動体デバイス上のアプリケーションで取得されることが可能である。
【００８０】
１００４において、方法１０００は、取得された信号品質をフィルタリングすることが可能である。一例では、フィルタリングは、先の信号品質データを用いて現在の信号品質データに重みをつけるために実施され得る。特定の態様によれば、本明細書で説明されるようにかつ／または当技術分野で知られているように、フィルタイリングは、１タップのＩＩＲフィルタ、ＦＩＲフィルタなどを用いて実施され得る。
【００８１】
１００６において、方法１０００は、フィルタリングされた信号強度のマグニチュードの差を決定することが可能である。１００８において、ターゲット信号のマグニチュードが、オプションで、異なる要因（例えば、ソース信号およびターゲット信号のマグニチュードの間の最低差）に加えて、ソース信号のマグニチュードよりも大きいかどうかについて決定が下され得る。したがって、ターゲット信号のマグニチュードがソース信号のマグニチュードよりも大きい場合、次の式に基づいて、ソース信号およびターゲット信号のマグニチュードの格差、すなわち調整された差が決定されることができる：
Δ１＝ＴＣＨ −（ＳＣＨ ＋ ＤＩＦＦ）
但し、Δ１は、（１つまたは複数の）ターゲットチャネルがソースチャネルより強いときの、またはそうでなければソースチャネルよりも好ましいときの、チャネル格差であり、ＴＣＨは、（１つまたは複数の）ターゲットチャネルの評価マグニチュードであり、ＳＣＨは、ソースチャネル評価のマグニチュードであり、ＤＩＦＦは、最小オフセット値（例えば、実質上１ｄＢから３ｄＢ）である。ソース信号のマグニチュードがターゲット信号のマグニチュードより大きいときは、ソース信号およびターゲット信号のマグニチュードの格差／正味差は、次の式に基づいて決定され得る。
【００８２】
Δ２＝ＳＣＨ −（ＴＣＨ ＋ＤＩＦＦ）
但し、Δ２は、ソースチャネルが（１つまたは複数の）ターゲットチャネルよりも強いときの、またはそうでなければ、（１つまたは複数の）ターゲットチャネルよりも好ましいときの、チャネル格差である。もし、（フィルタリングされた）ターゲットチャネルの信号強度のマグニチュードが（フィルタリングされた）ソースチャネルの信号強度のマグニチュードよりもより大きい場合は、方法１０００は、１０１６に進むことができる。そうでない場合は、方法１０００は１０１０に進むことができる。
【００８３】
１０１０において、方法１０００は、ターゲット信号およびソース信号の決定された差に基づいて、クレジットデルタ関数を参照することが可能である。かかる関数は、決定された差に基づいて、ターゲット信号に与えられることになるハンドオーバクレジットの数を識別することが可能である。少なくとも１つの態様によれば、この関数は次の形式を持つことができる：
Δ＜２ｄＢ          の場合は、  ｎ＝０      
２ｄＢ≦Δ≦４ｄＢ  の場合は、  ｎ＝１      
４ｄＢ≦Δ≦６ｄＢ  の場合は、  ｎ＝２      
６ｄＢ≦Δ＜８ｄＢ  の場合は、  ｎ＝３      
８ｄＢ≦Δ          の場合は、  ｎ＝４      
但し、ｎはハンドオーバクレジットの数であり、Δはマグニチュードの差である。
【００８４】
１０１２において、上記で議論されたように、クレジットの数は、信号マグニチュードの差に基づいて、当該関数から識別され得る。１０１４において、クレジットの数は、ターゲットチャネルに関連する現在のクレジットの数から減算される。いくつかの態様では、現在のクレジットの数は、ゼロの最小限度を有し得る（例えば、ターゲットチャネルおよびソースチャネルの信号強度の格差にもかかわらずゼロを割ることはできない）。
【００８５】
１０１６において、ターゲット信号マグニチュードがソース信号マグニチュードよりも大きい（または、いくつかの態様では、ソース信号マグニチュードと同じ）場合、ターゲット信号およびソース信号の決定された差に基づいて、クレジットデルタ関数が参照され得る。１０１８において、クレジットの数は、上記で説明されたように、クレジットデルタ関数から決定され得る。１０１２において、クレジットの数は、ターゲットチャネルに関連する現在のクレジットの数に加算され得る。
【００８６】
１０２２において、方法１０００は、ターゲットチャネルに関連するクレジットの数を決定することが可能である。１０２４において、クレジットの数がしきい値よりも大きいか（または、いくつかの態様では、しきい値と同じか）どうかについて決定が下される。そうである場合、方法１０００は、１０２６に進むことができる。そうでない場合、方法１０００は、１０３２に進んで終了する。
【００８７】
１０２６において、方法１０００は、クレジットの数が二次しきい値より大きいかどうかを決定することが可能である。そうでない場合、１０２８において、本明細書で説明されるように、（オプションで、逆方向ハンドオーバを要求する）伝送レポートが開始され、方法１０００は１０３２に進んで終了する。クレジットの数が二次しきい値よりも大きい場合、方法１０００は、順方向ハンドオーバが実施される１０３２に進み、次いで、１０３２に進んで終了する。説明されたように、方法１０００は、ソースチャネルの信号強度に比べてターゲットチャネルの信号強度のマグニチュードの差に少なくとも一部基づいて、移動体ハンドオーバ決定を提供する。さらに、ハンドオーバ決定は、かかる強度の比較の倍数に基づくことが可能であり、この場合、それぞれの比較は、ソース信号およびターゲット信号の強度の比較ならびにかかる比較の差に基づいて、クレジットの数をターゲットチャネルクレジットプールに加算するか、もしくは当該クレジットプールから減算する（または、いくつかの態様では、加算も減算もしない）。したがって、ソースチャネルの急速な劣化は、移動体ハンドオーバの可能性を高めることが可能であり、場合によっては、呼の中断の可能性を減少することが可能である。したがって、方法１０００は、無線通信にさらなる信頼性を提供する。
【００８８】
図１１は、１つまたは複数の態様に従って、チャネル依存性のハンドオーバを容易にするための例示的な方法論１１００を示す。１１０２において、方法１１００は、無線チャネルの特性に関係する第１の評価を実施することが可能である。本明細書で説明されるように、無線チャネルは、移動体デバイスと無線送信機の間で音声コンテンツおよび／またはデータコンテンツの交換を提供するアクティブ無線チャネルを備え得る。やはり本明細書で説明されるように、この特性は、無線チャネルに関連する信号品質、信号強度、信号雑音、信号干渉、マルチパッチ散乱など、またはそれらの組合せに関係し得る。
【００８９】
１１０４において、方法１１００は、移動体デバイスと通信可能に結合された少なくとも１つの追加の無線チャネルを識別する情報を受信することが可能である。追加の無線チャネルは、移動体デバイスにパッシブ通信を提供するターゲットチャネルであり得る。例えば、ターゲットチャネル伝送特性などのシステムデータは、パッシブ通信を経由して伝えられることが可能であるが、通常、アプリケーションコンテンツ（例えば、音声呼出しデータ、ストリーミングオーディオまたはストリーミングビデオなどのメディアアプリケーションデータ、ウェブブラウジングデータなど）は、かかる接続を経て交換されない。
【００９０】
１１０６において、方法１１００は、（移動体デバイスと通信可能に結合された）少なくとも１つの追加の無線チャネルの特性に関係する第２の評価を実施することが可能である。いくつかの態様では、少なくとも１つの追加のチャネルの特性は、無線チャネルの特性と同じであるか、または無線チャネルの特性の対応する特性である。１１０８において、第１および第２の評価が移動体デバイスに転送され得る。これらの評価は、本明細書で説明されるように、第１および第２の評価のマグニチュードの差に少なくとも一部基づいてハンドオーバを実施することを容易にし得る。したがって、方法１１００は、ハンドオーバを実施するために、アクティブターゲット無線チャネルのチャネル特性を決定する際に移動体デバイスに支援を提供する。
【００９１】
図１２は、少なくとも１つの追加の態様に従って、チャネル依存性のハンドオーバを容易にするためのサンプル方法論１２００を示す。１２０２において、方法１２００は、移動体デバイスに結合されかつ／または移動体デバイスに無線コンテンツを提供しているソース無線チャネルを識別することが可能である。１２０４において、ソース無線チャネルの特性を測定するのに適した評価観察間隔が決定され得る。いくつかの態様では、０．５ミリ秒の観察間隔が用いられ得る。１２０６において、ソースチャネルが観察間隔にわたって評価される。
【００９２】
１２０８において、方法１２００は、（１つまたは複数の）ターゲット無線チャネルを識別する印(indicia)を取得することが可能である。１２１０において、（１つまたは複数の）ターゲット無線チャネルの特性を測定するのに適した観察間隔が決定され得る。いくつかの態様では、ソース無線チャネルを評価するために用いられるのと同じ存続期間を有する観察間隔が用いられ得る。さらなる態様では、（１つまたは複数の）ターゲット無線チャネルに関連する観察間隔に関して、０．５ミリ秒の存続期間が用いられ得る。さらにその他の態様によれば、無線チャネルおよび（１つまたは複数の）ターゲット無線チャネルの両方を測定するために、共通の観察間隔（例えば、０．５ミリ秒の存続期間）が利用され得る。１２１２において、方法１２００は、参照番号１２１０において決定された観察間隔にわたって、（１つまたは複数の）ターゲット無線チャネルを評価することが可能である。
【００９３】
１２１４において、方法１２００は、ソースチャネルおよびターゲットチャネルの評価の結果を移動体デバイスに転送することが可能である。１２１６において、オプションで、逆方向ハンドオーバの要求を含むチャネル伝送レポートが受信され得る。この伝送レポートは、チャネル接続性情報を備え得る。いくつかの態様では、かかるレポートは、評価されたソース無線チャネルおよびターゲット無線チャネルのマグニチュードの同時発生する差を示すことが可能である。特定の例として、このレポートは、ターゲット無線チャネルが、ソース無線チャネルよりも高いあるｄＢ数である信号強度を有することを示すことが可能である。あるいは、または加えて、このレポートは、評価されたチャネルのマグニチュードの差に基づいて、かつ／または先のチャネル評価のマグニチュードの差に基づいて、ターゲット無線チャネルに対して累積されたハンドオーバクレジットの数を示すことが可能である。
【００９４】
１２１８において、方法１２００は、ソースチャネルおよびターゲットチャネルの容量を決定することが可能である。容量は、例えば、かかるチャネルのリソースを利用している移動体デバイスの数および／またはかかるチャネルの利用可能なリソースの数を含み得る。１２２０において、方法１２００は、移動体デバイスから（１つまたは複数の）ターゲットチャネルに関連する（例えば、当該レポート内に含まれたかつ／または基地局から要求された）ハンドオーバクレジットの数を取得することが可能である。１２２２において、クレジットの数がハンドオーバしきい値以上であるかどうかについて決定が下され得る。そうである場合、方法１２００は、ソース無線チャネルから少なくとも１つのターゲット無線チャネルに対するハンドオーバが実施される１２２４に進むことができる。そうでない場合、方法１２００は１２２６に進んで終了することができる。
【００９５】
図１３は、本明細書で開示されるいくつかの態様に従って、無線通信を容易にすることが可能な例示的なシステム１３００のブロック図を示す。ダウンリンク上、アクセスポイント１３０５において、送信（ＴＸ）データプロセッサ１３１０は、トラヒックデータを受信、フォーマット、符号化、インタリーブ、および変調（すなわちシンボルマップ）して、変調シンボル（「データシンボル」）を提供する。シンボル変調器１３１５は、データシンボルおよびパイロットシンボルを受信および処理して、シンボルの流れを提供する。シンボル変調器１３２０は、データシンボルおよびパイロットシンボルを多重化して、それらを送信機ユニット（ＴＭＴＲ）１３２０に提供する。それぞれの送信シンボルは、データシンボル、パイロットシンボル、またはゼロの信号値であり得る。パイロットシンボルは、それぞれのシンボル周期において連続的に送信され得る。パイロットシンボルは、周波数分割多重化（ＦＤＭ）、直交周波数分割多重化（ＯＦＤＭ）、時分割多重化（ＴＤＭ）、時分割多重化（ＴＤＭ）、または符号分割多重化（ＣＤＭ）され得る。
【００９６】
ＴＭＴＲ１３２０は、シンボルの流れを受信して、１つまたは複数のアナログ信号に変換し、無線チャネル上の伝送に適したダウンリンク信号を生成するために、アナログ信号をさらに調整（例えば、増幅、フィルタリング、および周波数アップコンバート）する。次いで、ダウンリンク信号は、アンテナ１３２５を介して端末に送信される。端末１３３０において、アンテナ１３３５はダウンリンク信号を受信して、受信された信号を受信機ユニット（ＲＣＶＲ）１３４０に提供する。受信機ユニット１３４０は、受信された信号を調整（例えば、フィルタリング、増幅、および周波数ダウンコンバート）して、サンプルを取得するために調整された信号をディジタル化する。シンボル復調器１３４５は、チャネル推定のために、受信されたパイロットシンボルを復調して、プロセッサ１３５０に提供する。シンボル復調器１３４５は、プロセッサ１３５０からダウンリンクに関する周波数レスポンス推定をさらに受信して、（送信されたデータシンボルの推定である）データシンボル推定を取得するために、受信されたデータシンボルに関してデータ復調を実行して、送信されたトラヒックデータを回復するために、データシンボル推定を復調（すなわち、シンボルデマップ）、ディインタリーブ、および復号するＲＸデータプロセッサ１３５５にデータシンボル推定を提供する。シンボル復調器１３４５およびＲＸデータプロセッサ１３５５によるプロセスは、アクセスポイント１３０５において、それぞれ、シンボル変調器１３１５およびＴＸデータプロセッサ１３１０によるプロセスに対して補完的である。
【００９７】
アップリンク上で、ＴＸデータプロセッサ１３６０は、トラヒックデータを処理して、データシンボルを提供する。シンボル変調器１３６５は、データシンボルを受信して、パイロットシンボルを用いて多重化し、変調を実行して、シンボルの流れを提供する。次いで、送信機ユニット１３７０は、アンテナ１３３５によってアクセスポイント１３０５に送信されるアップリンク信号を生成するために、シンボルの流れを受信および処理する。詳細には、アップリンク信号は、ＳＣ−ＦＤＭＡ要件に従ってよく、本明細書で説明されるように、周波数ホッピング機構を含み得る。
【００９８】
アクセスポイント１３０５において、端末１３３０からのアップリンク信号は、アンテナ１３２５によって受信されて、サンプルを取得するために、受信機１３７５によって処理される。次いで、シンボル復調器１３８０は、サンプルを処理して、受信されたパイロットシンボル推定およびデータシンボル推定をアップリンクに提供する。ＲＸデータプロセッサ１３８５は、端末１３３０によって送信されたトラヒックデータを回復するために、データシンボル推定を処理する。プロセッサ１３９０は、アップリンク上で送信しているそれぞれのアクティブ端末に関してチャネル推定を実行する。複数の端末は、そのそれぞれの割り当てられたパイロット副帯域のセット上、アップリング上で同時にパイロットを送信することが可能であり、この場合、パイロット副帯域のセットはインターレースされ得る。
【００９９】
プロセッサ１３９０および１３５０は、それぞれ、アクセスポイント１３０５および端末１３３０における動作を指令（例えば、制御、調整、管理など）する。それぞれのプロセッサ１３９０および１３５０は、プログラムコードおよびプログラムデータを記憶するメモリユニット（図示せず）と関連づけられることが可能である。プロセッサ１３９０および１３５０は、それぞれ、アップリンクおよびダウンリンクに関する周波数推定およびインパルス応答推定を導き出すために演算を実行することも可能である。
【０１００】
多元接続システム（例えば、ＳＣ−ＦＤＭＡ、ＦＤＭＡ、ＯＦＤＭＡ、ＣＤＭＡ、ＴＤＭＡなど）の場合、複数の端末は、アップリンク上で同時に送信することが可能である。かかるシステムの場合、パイロット副帯域は、異なる端末間で共有され得る。チャネル推定技術は、それぞれの端末に関するパイロット副帯域が（場合によっては、帯域の端を除いて）動作帯域全体にわたる場合に使用され得る。かかるパイロット副帯域構造は、それぞれの端末に関する周波数ダイバーシティを取得するために望ましいであろう。本明細書で説明される技法は、様々な手段によって実施され得る。例えば、これらの技法は、ハードウェア、ソフトウェア、またはそれらの組合せの形で実施され得る。ディジタル、アナログ、またはディジタルとアナログの両方であり得るハードウェア実装の場合、チャネル推定のために使用される処理ユニットは、１つまたは複数の特定用途向け集積回路（ＡＳＩＣ）、ディジタル信号プロセッサ（ＤＳＰ）、ディジタル信号処理デバイス（ＤＳＰＤ）、プログラマブル論理デバイス（ＰＬＤ）、フィールドプログラマブルゲートアレー（ＦＰＧＡ）、プロセッサ、コントローラ、マイクロコントローラ、マイクロプロセッサ、本明細書で説明された機能を実行するように設計されたその他の電子ユニット、またはそれらの組合せの中で実施されることが可能である。ソフトウェアの場合、実装は、本明細書で説明された機能を実行するモジュール（例えば、手順、関数など）を介し得る。ソフトウェアコードは、メモリユニット内に記憶されて、プロセッサ１３９０および１３５０によって実行され得る。
【０１０１】
本明細書で説明された実施形態は、ハードウェア、ソフトウェア、ファームウェア、ミドルウェア、マイクロコード、またはそれらの任意の適切な組合せで実施され得る点を理解されたい。ハードウェア実装の場合、処理ユニットは、１つまたは複数の特定用途向け集積回路（ＡＳＩＣ）、ディジタル信号プロセッサ（ＤＳＰ）、ディジタル信号処理デバイス（ＤＳＰＤ）、プログラマブル論理デバイス（ＰＬＤ）、フィールドプログラマブルゲートアレー（ＦＰＧＡ）、プロセッサ、コントローラ、マイクロコントローラ、マイクロプロセッサ、本明細書で説明された機能を実行するように設計されたその他の電子ユニット、またはそれらの組合せの中で実施され得る。
【０１０２】
実施形態がソフトウェア、ファームウェア、ミドルウェアもしくはマイクロコード、プログラムコードまたはコード区分の形で実施される場合、当該実施形態は、記憶構成要素など、機械可読媒体内に記憶され得る。コード区分は、手順、関数、サブプログラム、プログラム、ルーチン、サブルーチン、モジュール、ソフトウェアパッケージ、クラス、もしくは命令の任意の組合せ、データ構造、またはプログラム文を表すことが可能である。コード区分は、情報、データ、引数、パラメータ、またはメモリコンテンツを渡すことおよび／または受信することによって、別のコード区分またはハードウェア回路に結合され得る。情報、引数、パラメータ、データなどは、メモリ共有、メッセージパッシング、トークンパッシング、ネットワーク伝送などを含めて、任意の適切な手段を使用して、渡され、転送され、または送信されることが可能である。
【０１０３】
ソフトウェア実装の場合、本明細書で説明される技法は、本明細書で説明される機能を実行するモジュール（例えば、手順、関数など）を用いて実施され得る。ソフトウェアコードは、メモリユニット内に記憶されて、プロセッサによって実行されることが可能である。メモリユニットは、プロセッサ内で実施されてよく、またはプロセッサの外部で実施されてもよく、その場合、メモリユニットは、当技術分野で知られている様々な手段を介してプロセッサに通信可能に結合され得る。
【０１０４】
図１４および１５は、無線環境において、チャネル依存性のハンドオーバをそれぞれ実施または容易にすることが可能なシステム１４００および１５００のブロック図を示す。システム１４００は、チャネル特性評価を取得するためのモジュール１４０２を含み得る。いくつかの態様では、モジュール１４０２は、無線チャネル（例えば、移動体デバイスと少なくとも１つの送信機の間でデータ交換を容易にするアクティブチャネル）の特性に関係する第１の決定を取得することが可能である。さらに、モジュール１４０２は、１つまたは複数の追加の無線チャネルの特性に関係する第２の決定を取得することが可能である。この特性は、信号強度、信号品質、信号雑音または信号干渉、マルチパス散乱など、無線の信頼性または品質の任意の適切な指示子であり得る。
【０１０５】
システム１４００は、ハンドオーバを実施するためのモジュール１４０４をさらに含み得る。モジュール１４０４は、（例えば、無線チャネルに関係する）第１の決定と（例えば、１つまたは複数の追加の無線チャネルに関係する）第２の決定とのマグニチュードの差に少なくとも一部基づいて、前述の移動体デバイスに関するハンドオーバを実施することが可能である。いくつかの態様では、ハンドオーバは、１つまたは複数の追加の無線チャネルに関連するハンドオーバクレジットの数にさらに基づき得る。ハンドオーバクレジットは、第１の決定および第２の決定のマグニチュードの差ならびに／または類似のこれまでのかかる決定のマグニチュードの差に基づく。したがって、移動体ハンドオーバの可能性を高めるために、システム１４００によって信号品質の格差の程度が利用され得る。
【０１０６】
システム１５００は、無線チャネル（例えば、アクティブチャネル）によって移動体デバイスと無線データ交換を実施するためのモジュール１５０２を備え得る。システム１５００は、移動体デバイスと通信可能に結合された少なくとも１つの追加の無線チャネル（例えば、パッシブチャネル）を識別する情報を受信するためのモジュール１５０４をさらに備え得る。例えば、モジュール１５０４は、移動体デバイスから情報を取得するためにアンテナおよび受信機を利用することが可能である。前述の説明に加えて、システム１５００は、無線チャネルの特性に関係する第１の評価を実施して、少なくとも１つの追加の無線チャネルの特性に関係する第２の評価を実施または受信するためのモジュール１５０６を備え得る。例えば、この特性は、ｄＢで測定された信号強度を備え得る。さらに、システム１５００は、少なくとも第１および第２の評価、ならびに／またはその結果を移動体デバイスに転送するためのモジュール１５０８をさらに備え得る。評価／結果を転送することによって、モジュール１５０８は、第１および第２の評価のマグニチュードの差に少なくとも一部基づいてハンドオーバを実施することを容易にすることが可能である。例えば、マグニチュードの差が、無線チャネルと１つまたは複数の追加の無線チャネルの間に１０ｄＢの格差を示す場合、伝送レポートを開始するために、ハンドオーバ（例えば、逆方向ハンドオーバ）を要求するために、またはハンドオーバ（例えば、順方向ハンドオーバ）を実施するために、移動体デバイスによってマグニチュードの１０ｄＢの差が利用され得る。したがって、システム１４００および１５００は、少なくともいくつかの態様では、より頑強な移動体通信を提供して、移動体動作環境におけるハンドオーバ決定の基礎を形成するために、チャネル依存性の情報を利用することが可能である。
【０１０７】
上記で説明されたことは、１つまたは複数の態様の例を含む。前述の態様を説明するために、構成要素または方法論のすべての考えられる組合せを説明することは当然不可能であるが、当業者は、様々な態様の多くのさらなる組合せおよび置換が可能であることを認識することができる。したがって、説明された態様は、添付の特許請求の範囲に入るすべてのそのような変更、修正、および変形を包括するように意図されている。さらに、用語「含む(includes)」が詳細な説明または特許請求の範囲において使用される限りにおいて、そのような用語は、用語「備える(comprising)」が特許請求項においてトランジショナルワード(transitional word)として用いられるときに解釈されるように、用語「備える」と同様に包括的であるように意図されている。
【図１】
2010522507.tif 000005
【図２】
2010522507.tif 000006
【図３】
2010522507.tif 000007
【図４】
2010522507.tif 000008
【図５】
2010522507.tif 000009
【図６】
2010522507.tif 000010
【図７】
2010522507.tif 000011
【図８】
2010522507.tif 000012
【図９】
2010522507.tif 000013
【図１０】
2010522507.tif 000014
【図１１】
2010522507.tif 000015
【図１２】
2010522507.tif 000016
【図１３】
2010522507.tif 000017
【図１４】
2010522507.tif 000018
【図１５】
2010522507.tif 000019
【国際調査報告】
2010522507.tif 000020
2010522507.tif 000021
2010522507.tif 000022